(57)【特許請求の範囲】
【請求項１】
開口部が形成される筐体と、
前記筐体に対して、前記開口部を介して軸線方向に沿って引き出し可能に装着されるように構成される第１感光ドラムと、
前記第１感光ドラムが前記筐体に装着された状態において、前記軸線方向と直交する方向に前記第１感光ドラムと間隔を隔てて並列配置される第２感光ドラムと、
前記第１感光ドラムに現像剤を供給するための第１現像ローラを有する第１現像ユニットと、
前記第２感光ドラムに現像剤を供給するための第２現像ローラを有する第２現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、を備え、
前記引出規制手段は、
前記開口部を開放する開放位置と、前記開口部を閉鎖する閉鎖位置とに移動可能に構成される第１開閉部材であり、
前記閉鎖位置が、前記引出規制位置であり、前記開放位置が、前記引出許容位置であり、
前記第１開閉部材は、
現像開口と、
前記現像開口を開放する開放位置と、前記現像開口を閉鎖する閉鎖位置とに移動可能に構成される第２開閉部材と、
前記第１開閉部材が前記閉鎖位置にある状態において、前記露光部と係合する係合部と、を備え、
前記第２現像ユニットは、
前記第２現像ローラを備え、前記第２感光ドラムと前記第２現像ローラとが接触する接触位置と、前記第２感光ドラムと前記第２現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記第１開閉部材が前記開放位置にある状態において、当該露光部が前記退避位置に配置されるように、前記ユニットフレームに支持され、
前記第１開閉部材が前記閉鎖位置にある状態において、当該露光部が前記係合部と係合することで、前記露光位置に配置され、
前記第２現像ユニットは、前記第１開閉部材が前記閉鎖位置にあり、前記第２開閉部材が前記開放位置にあり、前記露光部が前記露光位置にあるときに、前記現像開口を介して、前記筐体に着脱可能であることを特徴とする、画像形成装置。
【請求項２】
前記第１感光ドラムおよび前記第２感光ドラムを一体的に支持するドラム支持部材を備え、
前記ドラム支持部材は、前記筐体に対して、前記開口部を介して、前記軸線方向に沿って引き出し可能に構成されることを特徴とする、請求項１に記載の画像形成装置。
【請求項３】
前記筐体に対する前記ユニットフレームの着脱を規制するための規制部をさらに備え、
前記第１開閉部材は、前記第１開閉部材が前記開放位置にある状態において、前記規制部と接触する接触部を備え、
前記接触部は、前記第１開閉部材が前記開放位置にある状態において、前記規制部に接触し、前記筐体に対する前記ユニットフレームの着脱を規制し、前記第１開閉部材が前記閉鎖位置にある状態において、前記規制部に接触せず、前記筐体に対する前記ユニットフレームの着脱を可能にすることを特徴とする、請求項１または２に記載の画像形成装置。
【請求項４】
開口部が形成される筐体と、
前記筐体に対して、前記開口部を介して軸線方向に沿って引き出し可能に装着されるように構成される第１感光ドラムと、
前記第１感光ドラムが前記筐体に装着された状態において、前記軸線方向と直交する方向に前記第１感光ドラムと間隔を隔てて並列配置される第２感光ドラムと、
前記第１感光ドラムに現像剤を供給するための第１現像ローラを有する第１現像ユニットと、
前記第２感光ドラムに現像剤を供給するための第２現像ローラを有する第２現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、
前記第１感光ドラムおよび前記第２感光ドラムを一体的に支持するドラム支持部材と、を備え、
前記ドラム支持部材は、前記筐体に対して、前記開口部を介して、前記軸線方向に沿って引き出し可能に構成され、
前記引出規制手段は、
前記露光部に設けられ、
前記引出規制位置に配置された状態において、前記引出規制手段の少なくとも一部が、前記軸線方向に投影したときに前記ドラム支持部材と重なるように、前記第１感光ドラムに対して前記軸線方向における前記開口部側に配置され、
前記筐体は、係止穴を備え、
前記引出規制手段は、前記引出規制手段が前記引出規制位置にある状態において、前記係止穴に嵌合し、前記引出規制手段が前記引出許容位置にある状態において、前記係止穴との嵌合が解除される係止部を備え、
前記第２現像ユニットは、
前記第２現像ローラを備え、前記第２感光ドラムと前記第２現像ローラとが接触する接触位置と、前記第２感光ドラムと前記第２現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記引出規制手段が前記引出許容位置にある状態において、当該露光部が前記退避位置に配置されるように、前記ユニットフレームに支持され、
前記引出規制手段が前記引出規制位置にある状態において、前記係止部が前記係止穴に嵌合することで、前記露光位置に配置され、
前記第２現像ユニットは、前記引出規制手段が前記引出規制位置にあり、前記露光部が前記露光位置にあるときに、前記開口部を介して、前記筐体に着脱可能であることを特徴とする、画像形成装置。
【請求項５】
開口部が形成される筐体と、
前記筐体に対して、前記開口部を介して軸線方向に沿って引き出し可能に装着されるように構成される第１感光ドラムと、
前記第１感光ドラムが前記筐体に装着された状態において、前記軸線方向と直交する方向に前記第１感光ドラムと間隔を隔てて並列配置される第２感光ドラムと、
前記第１感光ドラムに現像剤を供給するための第１現像ローラを有する第１現像ユニットと、
前記第２感光ドラムに現像剤を供給するための第２現像ローラを有する第２現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、
前記第１感光ドラムおよび前記第２感光ドラムを一体的に支持するドラム支持部材と、を備え、
前記ドラム支持部材は、前記筐体に対して、前記開口部を介して、前記軸線方向に沿って引き出し可能に構成され、
前記引出規制手段は、
前記第１現像ユニットに設けられ、
前記引出規制位置に配置された状態において、前記引出規制手段の少なくとも一部が、前記軸線方向に投影したときに前記ドラム支持部材と重なるように、前記第１感光ドラムに対して前記軸線方向における前記開口部側に配置され、
前記第２現像ユニットは、
前記第２現像ローラを備え、前記第２感光ドラムと前記第２現像ローラとが接触する接触位置と、前記第２感光ドラムと前記第２現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記引出規制手段が前記引出許容位置にある状態において、当該露光部が前記退避位置に配置されるように、前記ユニットフレームに支持され、
前記引出規制手段が前記引出規制位置にある状態において、当該露光部が前記引出規制手段に当接されることで、前記露光位置に配置され、
前記第２現像ユニットは、前記引出規制手段が前記引出規制位置にあり、前記露光部が前記露光位置にあるときに、前記開口部を介して、前記筐体に着脱可能であることを特徴とする、画像形成装置。
【請求項６】
前記軸線方向における前記露光部の一端部が、前記筐体に相対移動可能に支持され、
前記軸線方向における前記露光部の他端部が、前記引出規制手段が前記引出許容位置に配置された状態において、前記ユニットフレームに支持されることを特徴とする、請求項１〜５のいずれか一項に記載の画像形成装置。
【請求項７】
前記露光部は、互いに隣り合う前記第１現像ユニットと前記第２現像ユニットとの間において、前記第１感光ドラムに近い側に設けられ、
前記第１感光ドラムに遠い側における互いに隣り合う前記第１現像ユニットと前記第２現像ユニットとの間の前記第１感光ドラムと前記第２感光ドラムとの並列方向における間隔は、前記並列方向における前記露光部の長さよりも短いことを特徴とする、請求項１〜６のいずれか一項に記載の画像形成装置。
【請求項８】
開口部が形成される筐体と、
前記筐体に対して、前記開口部を介して、軸線方向に沿って引き出し可能に装着される第１感光ドラムと、
前記第１感光ドラムに現像剤を供給するための第１現像ローラを有する第１現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、を備え、
前記引出規制手段は、
前記開口部を開放する開放位置と、前記開口部を閉鎖する閉鎖位置とに移動可能に構成される第１開閉部材であり、
前記閉鎖位置が、前記引出規制位置であり、前記開放位置が、前記引出許容位置であり、
前記第１開閉部材は、
現像開口と、
前記現像開口を開放する開放位置と、前記現像開口を閉鎖する閉鎖位置とに移動可能に構成される第２開閉部材と、
前記第１開閉部材が前記閉鎖位置にある状態において、前記露光部と係合する係合部と、を備え、
前記第１現像ユニットは、
前記第１現像ローラを備え、前記第１感光ドラムと前記第１現像ローラとが接触する接触位置と、前記第１感光ドラムと前記第１現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記第１開閉部材が前記開放位置に配置された状態において、当該露光部が前記退避位置に配置されるように、前記ユニットフレームに支持され、
前記第１開閉部材が前記閉鎖位置にある状態において、当該露光部が前記係合部と係合することで、前記露光位置に配置され、
前記第１現像ユニットは、前記第１開閉部材が前記閉鎖位置にあり、前記第２開閉部材が前記開放位置にあり、前記露光部が前記露光位置にあるときに、前記現像開口を介して、前記筐体に着脱可能であることを特徴とする、画像形成装置。
【請求項９】
前記筐体に対する前記ユニットフレームの着脱を規制するための規制部をさらに備え、
前記第１開閉部材は、前記第１開閉部材が前記開放位置にある状態において、前記規制部と接触する接触部を備え、
前記接触部は、前記第１開閉部材が前記開放位置にある状態において、前記規制部に接触し、前記筐体に対する前記ユニットフレームの着脱を規制し、前記第１開閉部材が前記閉鎖位置にある状態において、前記規制部に接触せず、前記筐体に対する前記ユニットフレームの着脱を可能にすることを特徴とする、請求項８に記載の画像形成装置。
【請求項１０】
開口部が形成される筐体と、
前記筐体に対して、前記開口部を介して、軸線方向に沿って引き出し可能に装着される第１感光ドラムと、
前記第１感光ドラムに現像剤を供給するための第１現像ローラを有する第１現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、
前記第１感光ドラムを支持し、前記筐体に対して、前記開口部を介して、前記軸線方向に沿って引き出し可能に構成されるドラム支持部材と、を備え、
前記引出規制手段は、
前記露光部に設けられ、
前記引出規制位置に配置された状態において、前記引出規制手段の少なくとも一部が、前記軸線方向に投影したときに前記ドラム支持部材と重なるように、前記第１感光ドラムに対して前記軸線方向における前記開口部側に配置され、
前記筐体は、係止穴を備え、
前記引出規制手段は、前記引出規制手段が前記引出規制位置にある状態において、前記係止穴に嵌合し、前記引出規制手段が前記引出許容位置にある状態において、前記係止穴との嵌合が解除される係止部を備え、
前記第１現像ユニットは、
前記第１現像ローラを備え、前記第１感光ドラムと前記第１現像ローラとが接触する接触位置と、前記第１感光ドラムと前記第１現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記引出規制手段が前記引出許容位置にある状態において、当該露光部が前記退避位置に配置されるように、前記ユニットフレームに支持され、
前記引出規制手段が前記引出規制位置にある状態において、前記係止部が前記係止穴に嵌合されることで、前記露光位置に配置され、
前記第１現像ユニットは、前記引出規制手段が前記引出規制位置にあり、前記露光部が前記露光位置にあるときに、前記開口部を介して、前記筐体に着脱可能であることを特徴とする、画像形成装置。
【請求項１１】
開口部が形成される筐体と、
前記筐体に対して、前記開口部を介して、軸線方向に沿って引き出し可能に装着される第１感光ドラムと、
前記第１感光ドラムに現像剤を供給するための第１現像ローラを有する第１現像ユニットと、
前記第１感光ドラムを露光するように前記第１感光ドラムに近接される露光位置と、前記第１感光ドラムから退避される退避位置とに移動可能に構成される露光部と、
前記第１感光ドラムの前記筐体に対する引き出しを規制する引出規制位置と、前記第１感光ドラムの前記筐体に対する引き出しを許容する引出許容位置とに移動可能に構成される引出規制手段と、
前記第１感光ドラムを支持し、前記筐体に対して、前記開口部を介して、前記軸線方向に沿って引き出し可能に構成されるドラム支持部材と、を備え、
前記引出規制手段は、
前記第１現像ユニットに設けられ、
前記引出規制位置に配置された状態において、前記引出規制手段の少なくとも一部が、前記軸線方向に投影したときに前記ドラム支持部材と重なるように、前記第１感光ドラムに対して前記軸線方向における前記開口部側に配置され、
前記第１現像ユニットは、
前記第１現像ローラを備え、前記第１感光ドラムと前記第１現像ローラとが接触する接触位置と、前記第１感光ドラムと前記第１現像ローラとが離間する離間位置とを移動可能な現像器と、
前記現像器を収容するユニットフレームであって、前記接触位置と前記離間位置とを前記現像器が移動する際に、前記現像器が前記ユニットフレームに対して相対的に移動するユニットフレームと、を備え、
前記露光部は、
前記引出規制手段が前記引出許容位置にある状態において、当該露光部が前記退避位置に配置されるように、前記ユニットフレームに支持され、
前記引出規制手段が前記引出規制位置にある状態において、当該露光部が前記引出規制手段に当接されることで、前記露光位置に配置され、
前記第１現像ユニットは、前記引出規制手段が前記引出規制位置にあり、前記露光部が前記露光位置にあるときに、前記開口部を介して、前記筐体に着脱可能であることを特徴とする、画像形成装置。
【請求項１２】
前記軸線方向における前記露光部の一端部が、前記筐体に相対移動可能に支持され、
前記軸線方向における前記露光部の他端部が、前記引出規制手段が前記引出許容位置に配置された状態において、前記ユニットフレームに支持されることを特徴とする、請求項８〜１１のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、筐体と、感光ドラムおよびトナー収容部を一体的に備え、筐体内において、所定方向に並列配置される複数のプロセスカートリッジと、複数の感光ドラムのそれぞれに対応して設けられ、感光ドラムを露光するためのＬＥＤユニットとを備える画像形成装置が知られている。
【０００３】
このような画像形成装置としては、例えば、筐体が、筐体に対して前後方向に沿って引き出し可能に装着される支持フレームを備え、支持フレームが、複数のプロセスカートリッジを一体的に支持し、ＬＥＤユニットが、互いに隣り合うプロセスカートリッジのトナー収容部の間において、支持フレームに設けられる支持アームに支持されるカラー複合機が提案されている（例えば、特許文献１参照）。
【０００４】
そして、そのようなカラー複合機では、プロセスカートリッジは、支持フレームが筐体から引き出された状態において、支持フレームに対して、略上下方向に沿って着脱される。
【先行技術文献】
【特許文献】
【０００５】
【特許文献１】特開２００９−１５７１３５号公報
【発明の概要】
【発明が解決しようとする課題】
【０００６】
しかるに、近年、設置場所の自由度の観点などから、画像形成装置の小型化がますます望まれている。
【０００７】
しかし、特許文献１に記載のカラー複合機では、互いに隣り合うプロセスカートリッジのトナー収容部の間において、支持アームが配置されているので、画像形成装置の小型化、とりわけ、複数のプロセスカートリッジの並列方向における小型化を図るには限度がある。
【０００８】
また、プロセスカートリッジの交換作業の効率化の観点から、プロセスカートリッジを、筐体に対して、直接、感光ドラムの軸線方向に沿って引き出し可能に構成することが望まれている。
【０００９】
プロセスカートリッジが、筐体に対して、軸線方向に沿って引き出し可能に構成される場合、プロセスカートリッジが筐体から引き出されるときに、感光ドラムとＬＥＤユニットとが干渉することを防止するために、ＬＥＤユニットを退避させる必要がある。そのため、通常、筐体内にＬＥＤユニットを退避させるための退避機構を設ける必要があり、退避機構を設けるスペースを確保する分、画像形成装置の小型化を図ることができない。
【００１０】
そこで、本発明の目的は、露光部の効率的な配置を確保できるとともに、第１感光ドラムを筺体に対して軸線方向に沿って引き出し可能に構成でき、さらには、画像形成装置の小型化を図ることができる画像形成装置を提供することにある。
【課題を解決するための手段】
【００１１】
（１）上記目的を達成するために、本発明の画像形成装置は、開口部が形成される筐体と、筐体に対して、開口部を介して軸線方向に沿って引き出し可能に装着されるように構成される第１感光ドラムと、第１感光ドラムが筐体に装着された状態において、軸線方向と直交する方向に第１感光ドラムと間隔を隔てて並列配置される第２感光ドラムと、第１感光ドラムに現像剤を供給するための第１現像ローラを有する第１現像ユニットと、第２感光ドラムに現像剤を供給するための第２現像ローラを有する第２現像ユニットと、第１感光ドラムを露光するように第１感光ドラムに近接される露光位置と、第１感光ドラムから退避される退避位置とに移動可能に構成される露光部と、第１感光ドラムの筐体に対する引き出しを規制する引出規制位置と、第１感光ドラムの筐体に対する引き出しを許容する引出許容位置とに移動可能に構成される引出規制手段と、を備えている。
【００１２】
露光部は、引出規制手段が引出許容位置に配置された状態において、当該露光部が退避位置に配置されるように、第２現像ユニットに支持される。
【００１３】
このような構成によれば、露光部が、引出規制手段が引出許容位置に配置された状態において、退避位置に配置されるように、第２現像ユニットに支持されるので、第１感光ドラムを、筐体に対して、軸線方向に沿って引き出し可能に構成することができる。また、第１現像ユニットと第２現像ユニットとの間に、露光部を支持するための支持部材を設ける必要がなく、また、筐体内に露光部を退避させるための退避機構を設ける必要もない。そのため、支持部材および退避機構が設けられた場合と比較して、部品点数の低減および画像形成装置の小型化を図ることができる。
【００１４】
従って、露光部の効率的な配置を確保できるとともに、第１感光ドラムを筺体に対して軸線方向に沿って引き出し可能に構成でき、さらには、画像形成装置の小型化を図ることができる。
（２）また、画像形成装置は、第１感光ドラムおよび第２感光ドラムを一体的に支持するドラム支持部材を備えていてもよい。この場合、ドラム支持部材は、筐体に対して、開口部を介して、軸線方向に沿って引き出し可能に構成される。
【００１５】
このような構成によれば、第１感光ドラムおよび第２感光ドラムが、ドラム支持部材に一体的に支持されているので、第１感光ドラムおよび第２感光ドラムを同時に交換することができる。
【００１６】
そのため、第１感光ドラムおよび第２感光ドラムの交換作業の効率化を図ることができ、画像形成装置のメンテナンス性の向上を図ることができる。
（３）また、引出規制手段は、開口部を開放する開放位置と、開口部を閉鎖する閉鎖位置とに移動可能に構成される開閉部材であり、閉鎖位置が、引出規制位置であり、開放位置が、引出許容位置であってもよい。
【００１７】
このような構成によれば、開閉部材と引出規制手段とがそれぞれ別部材として設けられる場合と比較して、部品点数の低減を図ることができる。
【００１８】
また、開閉部材が開放位置に配置された状態において、開口部が開放されるので、第１感光ドラムの筐体に対する引き出しを確実に許容でき、開閉部材が閉鎖位置に配置された状態において、開口部が閉鎖されるので、所望しない第１感光ドラムの筐体に対する引き出しを確実に規制できる。
（４）また、引出規制手段は、露光部に設けられ、引出規制位置に配置された状態において、引出規制手段の少なくとも一部が、軸線方向に投影したときにドラム支持部材と重なるように、第１感光ドラムに対して軸線方向における開口部側に配置されていてもよい。
【００１９】
このような構成によれば、引出規制手段が引出規制位置に配置された状態において、引出規制手段の少なくとも一部が、軸線方向に投影したときにドラム支持部材と重なるように、第１感光ドラムに対して軸線方向における開口部側に配置されるので、所望しない第１感光ドラムの筐体に対する引き出しを確実に規制できる。
【００２０】
また、引出規制手段が露光部に設けられているので、引出規制手段の効率的な配置を確保することができる。
（５）また、引出規制手段は、第１現像ユニットに設けられ、引出規制位置に配置された状態において、引出規制手段の少なくとも一部が、軸線方向に投影したときにドラム支持部材と重なるように、第１感光ドラムに対して軸線方向における開口部側に配置されていてもよい。
【００２１】
このような構成によれば、引出規制手段が引出規制位置に配置された状態において、引出規制手段の少なくとも一部が、軸線方向に投影したときにドラム支持部材と重なるように、第１感光ドラムに対して軸線方向における開口部側に配置されるので、所望しない第１感光ドラムの筐体に対する引き出しを確実に規制できる。
【００２２】
また、引出規制手段が第１現像ユニットに設けられているので、引出規制手段の効率的な配置を確保することができる。
（６）また、露光部は、軸線方向一端部が、筐体に相対移動可能に支持され、軸線方向他端部が、引出規制手段が引出許容位置に配置された状態において、第２現像ユニットに支持されていてもよい。
【００２３】
このような構成によれば、簡易な構成でありながら、露光部の軸線方向一端部が、筐体に相対移動可能に支持されるので、露光部を、露光位置と退避位置とに円滑に移動させることができる。また、引出規制手段が引出許容位置に配置された状態において、露光部の軸線方向他端部が、第２現像ユニットに支持されるので、露光部を確実に退避位置に配置することができる。
（７）また、露光部は、互いに隣り合う第１現像ユニットと第２現像ユニットとの間において、第１感光ドラムに近い側に設けられていてもよい。この場合、第１感光ドラムに遠い側における互いに隣り合う第１現像ユニットと第２現像ユニットとの間の第１感光ドラムと第２感光ドラムとの並列方向間隔は、露光部の並列方向長さよりも短い。
【００２４】
このような構成によれば、露光部が、互いに隣り合う第１現像ユニットと第２現像ユニットとの間において、第１感光ドラムに近い側に設けられるとともに、第１感光ドラムに遠い側における互いに隣り合う第１現像ユニットと第２現像ユニットとの間の並列方向間隔が、露光部の並列方向長さよりも短く形成されているので、露光部のさらなる効率的な配置を確保できながら、画像形成装置の小型化、とりわけ、並列方向における小型化を図ることができる。
（８）本発明の画像形成装置は、開口部が形成される筐体と、筐体に対して、開口部を介して、軸線方向に沿って引き出し可能に装着される第１感光ドラムと、第１感光ドラムに現像剤を供給するための第１現像ローラを有する第１現像ユニットと、第１感光ドラムを露光するように第１感光ドラムに近接される露光位置と、第１感光ドラムから退避される退避位置とに移動可能に構成される露光部と、第１感光ドラムの筐体に対する引き出しを規制する引出規制位置と、第１感光ドラムの筐体に対する引き出しを許容する引出許容位置とに移動可能に構成される引出規制手段と、を備えている。
【００２５】
露光部は、引出規制手段が引出許容位置に配置された状態において、当該露光部が退避位置に配置されるように、第１現像ユニットに支持される。
【００２６】
このような構成によれば、露光部が、引出規制手段が引出許容位置に配置された状態において、退避位置に配置されるように、第１現像ユニットに支持されるので、第１感光ドラムを、筐体に対して、軸線方向に沿って引き出し可能に構成することができる。
【００２７】
そのため、露光部の効率的な配置を確保できるとともに、第１感光ドラムを筺体に対して軸線方向に沿って引き出し可能に構成でき、さらには、画像形成装置の小型化を図ることができる。
（９）また、引出規制手段は、開口部を開放する開放位置と、開口部を閉鎖する閉鎖位置とに移動可能に構成される開閉部材であり、閉鎖位置が、引出規制位置であり、開放位置が、引出許容位置であってもよい。
【００２８】
このような構成によれば、部品点数の低減を図ることができながら、開閉部材が開放位置に配置された状態において、開口部が開放されるので、第１感光ドラムの筐体に対する引き出しを確実に許容でき、開閉部材が閉鎖位置に配置された状態において、開口部が閉鎖されるので、所望しない第１感光ドラムの筐体に対する引き出しを確実に規制できる。
（１０）また、第１感光ドラムを支持し、筐体に対して、開口部を介して、軸線方向に沿って引き出し可能に構成されるドラム支持部材を備えていてもよい。この場合、引出規制手段は、露光部に設けられ、引出規制位置に配置された状態において、引出規制手段の少なくとも一部が、軸線方向に投影したときにドラム支持部材と重なるように、第１感光ドラムに対して軸線方向における開口部側に配置される。
【００２９】
このような構成によれば、第１感光ドラムを支持するドラム支持部材を備えているので、ドラム支持部材を筐体から引き出すことにより、第１感光ドラムを筐体から円滑に引き出すことができる。
【００３０】
また、引出規制手段が引出規制位置に配置された状態において、引出規制手段の少なくとも一部が、軸線方向に投影したときにドラム支持部材と重なるように、第１感光ドラムに対して軸線方向における開口部側に配置されるので、所望しない第１感光ドラムの筐体に対する引き出しを確実に規制できる。
【００３１】
また、引出規制手段が露光部に設けられているので、引出規制手段の効率的な配置を確保することができる。
（１１）また、第１感光ドラムを支持し、筐体に対して、開口部を介して、軸線方向に沿って引き出し可能に構成されるドラム支持部材を備えていてもよい。この場合、引出規制手段は、第１現像ユニットに設けられ、引出規制位置に配置された状態において、引出規制手段の少なくとも一部が、軸線方向に投影したときにドラム支持部材と重なるように、第１感光ドラムに対して軸線方向における開口部側に配置される。
【００３２】
このような構成によれば、第１感光ドラムを支持するドラム支持部材を備えているので、ドラム支持部材を筐体から引き出すことにより、第１感光ドラムを筐体から円滑に引き出すことができる。
【００３３】
また、引出規制手段が引出規制位置に配置された状態において、引出規制手段の少なくとも一部が、軸線方向に投影したときにドラム支持部材と重なるように、第１感光ドラムに対して軸線方向における開口部側に配置されるので、所望しない第１感光ドラムの筐体に対する引き出しを確実に規制できる。
【００３４】
また、引出規制手段が第１現像ユニットに設けられているので、引出規制手段の効率的な配置を確保することができる。
（１２）また、露光部は、軸線方向一端部が、筐体に相対移動可能に支持され、軸線方向他端部が、引出規制手段が引出許容位置に配置された状態において、第１現像ユニットに支持されていてもよい。
【００３５】
このような構成によれば、簡易な構成でありながら、露光部を露光位置と退避位置とに円滑に移動させることができる。また、引出規制手段が引出許容位置に配置された状態において、露光部を確実に退避位置に配置することができる。
【発明の効果】
【００３６】
本発明の画像形成装置では、露光部の効率的な配置を確保できるとともに、第１感光ドラムを筺体に対して軸線方向に沿って引き出し可能に構成でき、さらには、画像形成装置の小型化を図ることができる。
【図面の簡単な説明】
【００３７】
【図１】本発明の画像形成装置の第１実施形態としてのカラープリンタを示す断面図である。
【図２】図１に示すカラープリンタのＡ−Ａ断面図であって、フロントカバーが閉鎖位置に配置された状態を示す。
【図３】図１に示すカラープリンタのＡ−Ａ断面図であって、フロントカバーが開放位置に配置された状態を示す。
【図４】図１に示すカラープリンタの前面図であって、フロントカバーが閉鎖位置に配置された状態を示す。
【図５】図１に示すカラープリンタの前面図であって、フロントカバーが開放位置に配置された状態を示す。
【図６】図１に示すカラープリンタのＡ−Ａ断面図であって、現像ユニットを除いた状態を示す。
【図７】図３に示す案内部材の移動を説明するための説明図であって、（ａ）は、案内部材が非案内位置に配置された状態の側面図を示し、（ｂ）は、案内部材が案内位置に配置された状態の側面図を示し、（ｃ）は、案内部材が案内位置に配置された状態における側断面図を示す。
【図８】（ａ）は、図１に示すドラムユニットの本体ケーシングに対する装着および引き出しを説明するための側断面図であり、（ｂ）は、図１に示す現像ユニットの本体ケーシングに対する装着および引き出しを説明するための側断面図である。
【図９】（ａ）は、図１に示すカラープリンタのＢ−Ｂ断面図であって、フロントカバーが閉鎖位置に配置された状態を示し、（ｂ）は、（ａ）に示す押圧ユニットの前端部の拡大図を示す。
【図１０】（ａ）は、図１に示すカラープリンタのＢ−Ｂ断面図であって、フロントカバーが開放位置に配置された状態を示し、（ｂ）は、（ａ）に示す押圧ユニットの前端部の拡大図を示す。
【図１１】（ａ）は、図１に示すカラープリンタのＣ−Ｃ断面図であって、フロントカバーが閉鎖位置に配置された状態を示し、（ｂ）は、（ａ）に示す連結部の前端部の拡大図を示し、（ｃ）は、（ａ）に示す連結部の後端部の拡大図を示す。
【図１２】（ａ）は、図１に示すカラープリンタのＣ−Ｃ断面図であって、フロントカバーが開放位置に配置された状態を示し、（ｂ）は、（ａ）に示す連結部の後端部の拡大図を示す。
【図１３】図１に示す現像ユニットの前面図であって、（ａ）は、現像ローラが離間位置に配置された状態を示し、（ｂ）は、現像ローラが近接位置に配置された状態を示す。
【図１４】図１に示すカラープリンタの前面図（フロントカバーを除いた状態）であって、第１カム部材および第２カム部材が全離間位置に配置された状態を示す。
【図１５】図１に示すカラープリンタの前面図（フロントカバーを除いた状態）であって、第１カム部材および第２カム部材が単色作像位置に配置された状態を示す。
【図１６】図１に示すカラープリンタの前面図（フロントカバーを除いた状態）であって、第１カム部材および第２カム部材が多色作像位置に配置された状態を示す。
【図１７】本発明の画像形成装置の第２実施形態としてのカラープリンタ（フロントカバーが開放位置に配置された状態）の前面図である。
【図１８】本発明の画像形成装置の第３実施形態としてのカラープリンタの側断面図である。
【図１９】本発明の画像形成装置の第４実施形態としてのカラープリンタの側断面図である。
【図２０】本発明の画像形成装置の第５実施形態としてのカラープリンタの側断面図である。
【図２１】（ａ）は、本発明の画像形成装置の第６実施形態における案内部材およびカバー側係合部の拡大図であって、（ａ−１）は、案内部材が案内位置に配置された状態を示し、（ａ−２）は、案内部材が非案内位置に配置された状態を示す。（ｂ）は、本発明の画像形成装置の第７実施形態における案内部材およびカバー側係合部の拡大図であって、（ｂ−１）は、案内部材が案内位置に配置された状態を示し、（ｂ−２）は、案内部材が非案内位置に配置された状態を示す。
【発明を実施するための形態】
【００３８】
１．カラープリンタの全体構成
図１に示すように、画像形成装置の一例としてのカラープリンタ１は、横置きタイプの中間転写型カラープリンタである。
【００３９】
また、カラープリンタ１は、筐体の一例としての本体ケーシング２と、本体ケーシング２の上側に設けられ、原稿の画像情報を読み取るフラットベッドスキャナ３とを一体的に備える複合機である。
【００４０】
カラープリンタ１は、本体ケーシング２内において、用紙Ｐを給紙するための給紙部４と、給紙された用紙Ｐに画像を形成するための画像形成部５とを備えている。
（１）本体ケーシング
本体ケーシング２は、図１および図２に示すように、給紙部４および画像形成部５を収容する略ボックス形状に形成されている。本体ケーシング２の一方側壁には、図２に示すように、開口部の一例としての第１開口部８が形成されており、開閉部材の一例としてのフロントカバー６が、その下端部に設けられる第１ヒンジ部２０を支点として、第１開口部８を閉鎖する閉鎖位置（図２参照）と、第１開口部８を開放する開放位置（図３参照）とに揺動（移動）可能に設けられている。
【００４１】
なお、以下の説明において、フロントカバー６が設けられる側（図２における紙面左側）を前側とし、その反対側（図２における紙面右側）を後側とする。また、カラープリンタ１を前側から見たときを左右の基準とする。
【００４２】
すなわち、図１において、紙面左側が左側であり、紙面右側が右側である。また、紙面手前側が前側であり、紙面奥側が後側である。
（２）給紙部
給紙部４は、図１に示すように、用紙Ｐを収容する給紙トレイ７を備えている。給紙トレイ７は、本体ケーシング２内の底部に着脱自在に装着されている。
【００４３】
給紙トレイ７に収容されている用紙Ｐは、ピックアップローラ９の回転により、給紙ローラ１０と給紙パッド１１との間に送られ、給紙ローラ１０の回転により１枚ずつ捌かれる。その後、捌かれた用紙Ｐは、給紙ローラ１０の回転により、給紙ローラ１０と各ピンチローラ１２との間を順次通過するように、上方の両レジストローラ１３間に向けて給紙され、レジストローラ１３の回転により、所定のタイミングで、画像形成部５（中間転写ベルト３８（後述）と二次転写ローラ３５（後述）との間）に供給される。
（３）画像形成部
画像形成部５は、給紙部４の上側に配置されており、プロセスユニット１４と、転写ユニット１８と、定着ユニット１９とを備えている。
（３−１）プロセスユニット
プロセスユニット１４は、給紙トレイ７の上側に配置され、感光体ユニットの一例としてのドラムユニット１５と、現像ユニット１６と、露光部の一例としてのＬＥＤユニット１７とを備えている。
（３−１−１）ドラムユニット
ドラムユニット１５は、プロセスユニット１４の上端部に配置されており、感光ドラム２１と、スコロトロン型帯電器２２と、ドラムクリーニングローラ２３とを一体的に支持している。
【００４４】
感光ドラム２１は、複数色（ブラック、イエロー、マゼンタ、シアン）に対応して、複数（４つ）設けられ、左右方向に互いに間隔を隔てて並列配置されている。具体的には、左側から右側（複数の感光ドラム２１の並列方向一方側から他方側）に向かって、ブラック感光ドラム２１Ｋ、イエロー感光ドラム２１Ｙ、マゼンタ感光ドラム２１Ｍおよびシアン感光ドラム２１Ｃが、順次配置されている。なお、複数（４つ）の感光ドラム２１のうち、任意で選択される互いに隣り合う感光ドラム２１のそれぞれが、第１感光ドラムおよび第２感光ドラムの一例として対応する。具体的には、ブラック感光ドラム２１Ｋが、第１感光ドラムに対応する場合、ブラック感光ドラム２１Ｋの右側（複数の感光ドラム２１の並列方向他方側）に配置されるイエロー感光ドラム２１Ｙが第２感光ドラムに対応する。また、イエロー感光ドラム２１Ｙが、第１感光ドラムに対応する場合、イエロー感光ドラム２１Ｙの右側に配置されるマゼンタ感光ドラム２１Ｍが第２感光ドラムに対応する。
【００４５】
すなわち、第２感光ドラムは、任意で選択される第１感光ドラムに対して、複数の感光ドラム２１の並列方向他方側に、隣り合って配置される感光ドラム２１に対応する。
【００４６】
スコロトロン型帯電器２２は、複数（４つ）の感光ドラム２１のそれぞれに対応して設けられ、対応する感光ドラム２１の右下側において、感光ドラム２１に間隔を隔てて対向配置されるように配置されている。
【００４７】
ドラムクリーニングローラ２３は、複数（４つ）の感光ドラム２１のそれぞれに対応して設けられ、スコロトロン型帯電器２２の上側において、感光ドラム２１の右上側と対向して接触するように配置されている。
（３−１−２）現像ユニット
現像ユニット１６は、複数（４つ）の感光ドラム２１のそれぞれに対応して、複数（４つ）設けられている。また、現像ユニット１６は、詳しくは後述するが、本体ケーシング２に装着される現像装着位置（図２参照）と、本体ケーシング２から引き出される現像引出位置（図８（ｂ）参照）とに、前後方向に沿ってスライド可能に設けられている。
【００４８】
複数（４つ）の現像ユニット１６のそれぞれは、現像装着位置に位置された状態において、対応する感光ドラム２１の下側に配置されており、左右方向に互いに間隔を隔てて並列配置されている。詳しくは、複数（４つ）の現像ユニット１６は、互いに隣り合う現像ユニット１６間において、現像ユニット１６の下側部分（ユニットフレーム２５（後述）間の左右方向間隔よりも、現像ユニット１６の上側部分（現像器２４（後述）の上端部）間の左右方向間隔の方が長くなるように、左右方向に互いに間隔を隔てて並列配置されている。
【００４９】
より具体的には、左側から右側に向かって、ブラック現像ユニット１６Ｋ、イエロー現像ユニット１６Ｙ、マゼンタ現像ユニット１６Ｍおよびシアン現像ユニット１６Ｃが、順次配置されている。なお、複数（４つ）の現像ユニット１６のうち、上記した第１感光ドラムに対応する現像ユニット１６が、第１現像ユニットの一例として対応し、上記した第２感光ドラムに対応する現像ユニット１６が、第２現像ユニットの一例として対応する。
【００５０】
つまり、ブラック感光ドラム２１Ｋが、第１感光ドラムの一例として対応する場合、ブラック感光ドラム２１Ｋに対応するブラック現像ユニット１６Ｋが、第１現像ユニットの一例として対応する。この場合、イエロー感光ドラム２１Ｙが第２感光ドラムの一例として対応するので、イエロー感光ドラム２１Ｙに対応するイエロー現像ユニット１６Ｙが、第２現像ユニットの一例として対応する。
【００５１】
すなわち、第１現像ユニットおよび第２現像ユニットのそれぞれは、任意で選択される第１感光ドラムおよび第２感光ドラムのそれぞれに対応しているので、第１現像ユニットおよび第２現像ユニットと、本実施形態における現像ユニット１６との対応関係は、選択される第１感光ドラムおよび第２感光ドラムにより、その都度異なる。
【００５２】
また、複数（４つ）の現像ユニット１６のそれぞれは、詳しくは後述するが、現像器２４と、ユニットフレーム２５とを備えている。
【００５３】
現像器２４は、ユニットフレーム２５内に収容され、現像ローラ２６を備えている。つまり、現像ローラ２６は、複数（４つ）の感光ドラムのそれぞれに対して１対１で設けられている。
【００５４】
なお、上記した第１現像ユニットが備える現像ローラ２６が、第１現像ローラの一例として対応し、上記した第２現像ユニットが備える現像ローラ２６が、第２現像ローラの一例として対応する。
【００５５】
現像ローラ２６は、現像器２４の上端において、上側から露出されるように回転可能に支持されており、対応する感光ドラム２１に対して下側から接触されている。
【００５６】
なお、現像器２４は、現像ローラ２６にトナーを供給する供給ローラ２７、現像ローラ２６に供給されたトナーの厚みを規制する層厚規制ブレード２８を備えている。また、現像器２４は、供給ローラ２７の下側において、各色（ブラック、イエロー、マゼンタ、シアン）に対応する現像剤の一例としてのトナーを収容するトナー収容部２９を備えている。
【００５７】
また、ブラック現像ユニット１６Ｋにおけるユニットフレーム２５には、その左側において、略ボックス形状の廃トナー収容部３１を一体的に保持している。
（３−１−３）ＬＥＤユニット
ＬＥＤユニット１７は、複数（４つ）の感光ドラムのそれぞれに対応して、複数（４つ）設けられている。複数（４つ）のＬＥＤユニット１７のそれぞれは、対応する現像ユニット１６の上側部分（現像器２４の上端部）の右側に配置され、対応する感光ドラム２１に下方から対向している。ＬＥＤユニット１７は、所定の画像データに基づいて、対応する感光ドラム２１の表面を露光する。
（３−２）転写ユニット
転写ユニット１８は、プロセスユニット１４の上方に配置され、ベルトユニット３４と二次転写ローラ３５とを備えている。
【００５８】
ベルトユニット３４は、複数（４つ）の感光ドラム２１のそれぞれに上側から対向するように、左右方向に沿って配置されている。また、ベルトユニット３４は、図２に示すように、内側ケーシング６１（後述）の前壁８１（後述）と後壁８２（後述）との間に保持されている。
【００５９】
ベルトユニット３４は、図１に示すように、駆動ローラ３６と、従動ローラ３７と、中間転写ベルト３８と、複数（４つ）の一次転写ローラ３９と、ベルトクリーナー４０とを備えている。
【００６０】
駆動ローラ３６および従動ローラ３７は、左右方向に互いに間隔を隔てて対向配置されている。
【００６１】
中間転写ベルト３８は、その下側部分が複数（４つ）の感光ドラム２１のそれぞれに対向接触されるように、感光ドラム２１の上側に配置され、駆動ローラ３６および従動ローラ３７の周りに掛け渡されている。また、中間転写ベルト３８は、駆動ローラ３６の駆動および従動ローラ３７の従動により、感光ドラム２１と接触する下側部分が左側から右側に向かって移動するように、周回移動されている。
【００６２】
複数（４つ）の一次転写ローラ３９のそれぞれは、対応する感光ドラム２１と、中間転写ベルト３８の下側部分を挟んで対向するように設けられている。
【００６３】
ベルトクリーナー４０は、中間転写ベルト３８の左端部下側であって、ドラムユニット１５の前側に配置され、ベルトクリーニングローラ５４と、対向ローラ５５と、中継ローラ５６と、廃トナー貯留部５７とを備えている。
【００６４】
中間転写ベルト３８の表面に残存したトナー（廃トナー）は、ベルトクリーニングローラ５４によってクリーニングされ、一旦、中継ローラ５６に保持された後、掻き取りブレード５８で掻き取られることにより、廃トナー貯留部５７に形成される開口を介して、廃トナー貯留部５７内に貯留される。そして、廃トナー貯留部５７内の廃トナーは、廃トナー貯留部５７の後端部と廃トナー収容部３１の後端部とを接続する廃トナー搬送パイプ５９を介して、廃トナー貯留部５７から廃トナー収容部３１へ搬送され、廃トナー収容部３１内に収容される。
【００６５】
また、ベルトクリーニングローラ５４と、対向ローラ５５と、中継ローラ５６と、廃トナー貯留部５７と、掻き取りブレード５８とは、内側ケーシング６１（後述）の前壁８１（後述）と後壁８２（後述）との間に保持されている。
【００６６】
二次転写ローラ３５は、駆動ローラ３６と、中間転写ベルト３８を挟んで対向するように、ベルトユニット３４の右側に設けられている。
（３−３）定着ユニット
定着ユニット１９は、二次転写ローラ３５の左上方に配置され、加熱ローラ４１、および、加熱ローラ４１に対して右上側から圧接される加圧ローラ４２を備えている。
（３−４）画像形成動作
（３−４−１）現像動作
トナー収容部２９内のトナーは、供給ローラ２７に供給され、さらに、現像ローラ２６に供給される。
【００６７】
現像ローラ２６に供給されたトナーは、現像ローラ２６の回転に伴って、層厚規制ブレード２８によって厚さが規制され、一定厚さの薄層として現像ローラ２６の表面に担持される。
【００６８】
一方、感光ドラム２１の表面は、感光ドラム２１の回転に伴って、スコロトロン型帯電器２２により一様に正帯電された後、ＬＥＤユニット１７により露光される。これにより、用紙Ｐに形成すべき画像に対応した静電潜像が感光ドラム２１の表面に形成される。
【００６９】
感光ドラム２１がさらに回転すると、現像ローラ２６の表面に担持されるトナーが、感光ドラム２１の表面に形成されている静電潜像に供給される。これにより、感光ドラム２１の静電潜像は可視像化され、感光ドラム２１の表面には、反転現像によるトナー像が担持される。
（３−４−２）転写・定着動作
感光ドラム２１の表面に担持されたトナー像は、左側から右側へ移動される中間転写ベルト３８の下側部分に順次、一次転写される。これにより、中間転写ベルト３８にカラー画像が形成される。
【００７０】
中間転写ベルト３８に形成されたカラー画像は、中間転写ベルト３８が二次転写ローラ３５との対向位置を通過する間に、給紙部４から供給される用紙Ｐに、二次転写される。
【００７１】
そして、用紙Ｐに転写されたカラー画像は、定着ユニット１９において、用紙Ｐが加熱ローラ４１と加圧ローラ４２との間を通過する間に、加熱および加圧されることによって用紙Ｐに熱定着される。
（４）排紙
定着ユニット１９においてトナー像が定着された用紙Ｐは、排紙ローラ４４によって、本体ケーシング２の上面に形成される排紙トレイ４５上に排紙される。
（５）フラットベッドスキャナ
フラットベッドスキャナ３は、排紙トレイ４５の上方に設けられている。フラットベッドスキャナ３では、原稿が、押えカバー４７とガラス面４８との間に配置された後、ＣＣＤセンサ４９がスライドすることにより、原稿の画像情報が読み取られる。
【００７２】
そして、読み取られた原稿の画像情報に基づいて、画像形成部５において、上記したように、用紙Ｐに画像を形成することができる。
２．本体ケーシングの詳細
本体ケーシング２は、図２に示すように、カラープリンタ１の外形を構成する外側ケーシング６０と、外側ケーシング６０の内側に設けられる内側ケーシング６１とを備えている。
【００７３】
外側ケーシング６０は、側面視略矩形状の略ボックス形状に形成されており、前後方向に互いに間隔を隔てて対向配置されるケーシング前壁１４５およびケーシング後壁１４６を備えている。
【００７４】
ケーシング前壁１４５は、図４に示すように、左右方向に長手の略平板形状に形成され、その略中央部分には、上記した第１開口部８が形成されている。
【００７５】
第１開口部８は、左右方向に長手の正面視略矩形状に形成され、前後方向に貫通するように形成されている。
【００７６】
また、ケーシング前壁１４５には、上記したフロントカバー６が設けられている。
【００７７】
フロントカバー６は、左右方向に長手の略平板形状に形成され、その左右方向長さおよび上下方向長さが、第１開口部８の左右方向長さおよび上下方向長さと略同じ長さに形成されている。
【００７８】
そして、フロントカバー６は、第１ヒンジ部２０が第１開口部８の下端縁周端部に支持されることにより、閉鎖位置（図４参照）と開放位置（図５参照）とに揺動（移動）可能に設けられている。なお、第１実施形態において、フロントカバー６は、引出規制手段の一例として対応され、閉鎖位置が、ドラムユニット１５（感光ドラム２１）の本体ケーシング２に対する引き出しを規制する引出規制位置として対応され、開放位置が、ドラムユニット１５（感光ドラム２１）の本体ケーシング２に対する引き出しを許容する引出許容位置として対応される。
【００７９】
また、以下のフロントカバー６の説明において、フロントカバー６が閉鎖位置に配置された状態（図２、図４、図９、図１１、図１４〜図１６）を基準としている。
【００８０】
フロントカバー６には、現像開口６２が形成されている。
【００８１】
現像開口６２は、第１ヒンジ部２０の上側において、左右方向に長手の正面視略矩形状に貫通形成され、その左右方向長さが、第１カム支持部材６５（後述、図５参照）の左右方向長さよりも長く形成されている。
【００８２】
また、現像開口６２の上端縁には、ユニット溝１８３が形成されている。
【００８３】
ユニット溝１８３は、前後方向に投影したときに、複数（４つ）の現像器２４の上端部と重なる部分に対応して複数（４つ）形成され（図５参照）、現像開口６２の上端縁から上方に向かって窪む正面視略Ｕ字状に形成されている。
【００８４】
また、フロントカバー６における複数（４つ）のユニット溝１８３のそれぞれの右側部分は、係合支持部１８４として区画されている。
【００８５】
つまり、係合支持部１８４は、左右方向に互いに間隔を隔てて、複数（４つ）形成されている。具体的には、複数（４つ）の係合支持部１８４のうち、最も右側の係合支持部１８４は、正面視略矩形状に形成され、その他の係合支持部１８４（最も右側の係合支持部１８４を除く３つの係合支持部１８４のそれぞれ）は、左右方向に互いに隣り合うユニット溝１８３の間において、下方に向かって先細りとなる正面視略三角形状に形成されている。
【００８６】
また、フロントカバー６は、図２に示すように、現像側カバー６３と、規制部材７７と、第１対向部７８と、第１係合部の一例としてのカバー側係合部７９とを備えている。
【００８７】
現像側カバー６３は、図４に示すように、左右方向に長手の略平板形状に形成され、前後方向に投影したときの現像開口６２の投影面と略同形状に形成されている。
【００８８】
また、現像側カバー６３は、図２に示すように、第１カム支持部材６５と、第２ヒンジ部６４とを備えている。
【００８９】
第１カム支持部材６５は、現像側カバー６３の後面において、左右方向に延びるように設けられ（図５参照）、第１本体部６９と、第１カム支持部７０と一体的に備えている。
【００９０】
第１本体部６９は、上下方向に延び、左右方向に長手の略平板形状に形成されている（図５参照）。
【００９１】
また、第１本体部６９には、図１１（ｂ）に示すように、第１ギヤ挿入穴７１が形成されている。
【００９２】
第１ギヤ挿入穴７１は、第１本体部６９の左下側部分において（図１参照）、第１ピニオンギヤ６７（後述）の第１挿入部７４（後述）に対応して形成され、正面視略円形状に貫通形成されている。第１ギヤ挿入穴７１の穴径は、第１挿入部７４（後述）の外径と略同径に形成されている。
【００９３】
第１カム支持部７０は、第１本体部６９の後面における下端部に設けられ、左右方向に延びるよう形成されている（図５参照）。第１カム支持部７０は、図１４に示すように、正面視略Ｊ字状に形成され、第１カムガイド部１８６と、第１ばね収容部１８５と一体的に備えている。
【００９４】
第１カムガイド部１８６は、図２に示すように、第１本体部６９の後面における下端部から後方に向かって突出する側面視略矩形状に形成され、図１４に示すように、左右方向に沿って延びる略杆状に形成されている。
【００９５】
第１ばね収容部１８５は、左方に向かって開放される正面視略コ字状に形成され、その下側部分の左端部が第１カムガイド部１８６の右端部と連続するように設けられている。
【００９６】
また、第１カム支持部材６５には、第１接離部材の一例としての第１カム部材６６と、第１ピニオンギヤ６７と、第１付勢手段の一例としての第１ばね部材６８とが設けられている。
【００９７】
第１カム部材６６は、左右方向に延びる略杆状に形成され、第１ラックギヤ７２と、第１作用部の一例としての第１カム部７３とを備えている。
【００９８】
第１ラックギヤ７２は、第１カム部材６６の上面における左端部に形成されている。
【００９９】
第１カム部７３は、第１ラックギヤ７２の右側に設けられ、複数（４つ）の現像ユニット１６の前側のボス１５５（後述）のそれぞれに対応して、左右方向に互いに間隔を隔てて複数（４つ）形成されている。
【０１００】
第１カム部７３は、第１カム部材６６の上面から上方に向かって突出する正面視略矩形状に形成され、その右端部が、右方に向かうに従って下方に傾斜するように形成されている。
【０１０１】
また、複数（４つ）の第１カム部７３のうち、最も左側に配置される第１カム部７３、すなわち、ブラック現像ユニット１６Ｋに対応する第１カム部７３（以下、ブラック第１カム部７３Ｋとする。）は、その左右方向長さが、その他の現像ユニット１６（イエロー現像ユニット１６Ｙ、マゼンタ現像ユニット１６Ｍおよびシアン現像ユニット１６Ｃ）に対応する第１カム部７３（以下、その他の第１カム部７３ＹＭＣとする。）の左右方向長さよりも、長く形成されている。
【０１０２】
そして、第１カム部材６６は、第１カムガイド部１８６の上側に配置され、第１カムガイド部１８６の上面に沿って、左右方向にスライド移動可能に構成されている。
【０１０３】
すなわち、第１カム部材６６は、詳しくは後述するが、図１４〜図１６に示すように、最も左側に配置される全離間位置（第２位置の一例）と、全離間位置から右側に移動される単色作像位置（第１位置の一例）と、単色作像位置からさらに右側に移動される多色作像位置（第１位置の一例）とに移動可能に構成されている。
【０１０４】
第１カム部材６６が全離間位置に配置された状態において、第１カム部材６６の左端部は、図１４に示すように、上下方向から見て、第１カムガイド部１８６の左端部と一致するように配置され、第１カム部材６６の右端部は、第１ばね収容部１８５の左端部に配置される。
【０１０５】
また、第１カム部材６６が単色作像位置に配置された状態において、第１カム部材６６の左端部は、図１５に示すように、第１カムガイド部１８６の左端部よりも右側に配置され、第１カム部材６６の右端部は、第１ばね収容部１８５の左右方向略中央部分に配置される。
【０１０６】
また、第１カム部材６６が多色作像位置に配置された状態において、第１カム部材６６の右端部は、図１６に示すように、第１ばね収容部１８５の右端部に配置される。
【０１０７】
第１ピニオンギヤ６７は、図１１（ｂ）に示すように、前後方向に延びる略円柱形状に形成され、第１ギヤ部７５と、第１挿入部７４とを一体的に備えている。
【０１０８】
第１ギヤ部７５は、第１ピニオンギヤ６７の後側部分であって、その周面には、その全周にわたって、ギヤ歯が形成されている。
【０１０９】
第１挿入部７４は、第１ピニオンギヤ６７の前側部分であって、第１ギヤ部７５と中心軸線が一致するように、第１ギヤ部７５の前面から前方に向かって突出する略円柱形状に形成されている。第１挿入部７４の外径は、第１ギヤ部７５の外径よりも小径に形成されている。
【０１１０】
また、第１ピニオンギヤ６７には、第１結合部７６が形成されている。
【０１１１】
第１結合部７６は、第１ギヤ部７５の後面における略中央部分から前方に向かって窪む側面視略コ字状に形成されている。第１結合部７６には、フロントカバー６が閉鎖位置に配置された状態において、本体ケーシング２に設けられる連結部１１７（後述）の第１カップリング部１２９（後述）が相対回転不能に挿入され、連結部１１７（後述）を介して、本体ケーシング２から駆動力が入力される。
【０１１２】
そして、第１ピニオンギヤ６７は、第１挿入部７４が第１ギヤ挿入穴７１に相対回転可能に挿入されるとともに、第１ギヤ部７５の下側部分が、図１４〜図１６に示すように、第１ラックギヤ７２と噛合するように、第１カム部材６６の左端部の上側に配置されている。詳しくは、第１ピニオンギヤ６７は、図１４に示すように、第１カム部材６６が全離間位置に配置された状態において、第１ラックギヤ７２の右端部と噛合し、図１５に示すように、第１カム部材６６が単色作像位置に配置された状態において、第１ラックギヤ７２の左右方向略中央部分と噛合し、図１６に示すように、第１カム部材６６が多色作像位置に配置された状態において、第１ラックギヤ７２の左端部と噛合する。
【０１１３】
第１ばね部材６８は、図１４に示すように、左右方向に延びる空心コイル状に形成され、第１カム部材６６の右端部と第１ばね収容部１８５の右壁との間に介在されるように、第１ばね収容部１８５に収容されている。
【０１１４】
そして、第１ばね部材６８は、その左端部が第１カム部材６６の右端部に固定されるとともに、その右端部が第１ばね収容部１８５の右壁に固定されている。
【０１１５】
これにより、第１カム部材６６は、常には、第１ばね部材６８により左方に向かって付勢され、全離間位置に配置されている。すなわち、第１ばね部材６８は、第１カム部材６６を多色作像位置（または単色作像位置）から全離間位置に向かって付勢している。
【０１１６】
第２ヒンジ部６４は、図４に示すように、現像側カバー６３の下端部に設けられており、現像開口６２の下端縁周端部に支持されている。
【０１１７】
これにより、現像側カバー６３は、第２ヒンジ部６４を支点として、現像開口６２を閉鎖する現像カバー閉鎖位置（図４参照）と、現像開口６２を開放する現像カバー開放位置（図８（ｂ）参照）とに揺動（移動）可能に設けられている。
【０１１８】
規制部材７７は、図２に示すように、第１ヒンジ部２０に相対移動不能に設けられ、第１ヒンジ部２０の後端部から後方に向かって延びた後、上方に向かって屈曲する側面視略Ｌ字状に形成されている。規制部材７７の上端部は、上方に向かうに従って後方に傾斜するように形成されている。
【０１１９】
第１対向部７８は、現像開口６２の上側におけるフロントカバー６の後面において、左右方向に延びるように設けられている（図９（ａ）参照）。また、第１対向部７８は、フロントカバー６の後面から後方に向かって突出する側面視略矩形状に形成されている。
【０１２０】
第１対向部７８には、図９（ｂ）に示すように、位置決め軸溝８７が形成されている。
【０１２１】
位置決め軸溝８７は、複数（２本）の位置決め軸１１５（後述）の前端部のそれぞれに対応して、左右方向に間隔を隔てて複数（２つ）形成されている（図１参照）。
【０１２２】
位置決め軸溝８７は、第１対向部７８の左右方向端部における上側部分に形成され、第１対向部７８の後面から前方に向かって窪む側面視略コ字状に形成されている。
【０１２３】
カバー側係合部７９は、図２に示すように、第１対向部７８の下側において、複数（４つ）の係合支持部１８４（図４参照）のそれぞれに対応して、複数（４つ）設けられている。カバー側係合部７９は、係合支持部１８４の後面から後方に向かって突出する側面視略矩形状に形成され、その上端部が第１対向部７８の下端部と連続するように、第１対向部７８と一体的に形成されている。
【０１２４】
カバー側係合部７９には、ＬＥＤユニット１７のＬＥＤ係合部１７５（後述）と対応する係合溝８０が形成されている。
【０１２５】
係合溝８０は、カバー側係合部７９の後面から前方に向かって窪む側面視略コ字状に形成されている。係合溝８０の上下方向長さは、ＬＥＤ係合部１７５（後述）の上下方向長さと略同じ長さに形成されている。
【０１２６】
ケーシング後壁１４６は、図１に示すように、左右方向に長手の略平板形状に形成されている。
【０１２７】
また、ケーシング後壁１４６には、図２に示すように、ＬＥＤ支持部１４７が設けられている。
【０１２８】
ＬＥＤ支持部１４７は、複数（４つ）のＬＥＤユニット１７のＬＥＤ被支持部１７６（後述）のそれぞれに対応して、左右方向に互いに間隔を隔てて複数（４つ）設けられている。
【０１２９】
複数（４つ）のＬＥＤ支持部１４７のそれぞれは、ケーシング後壁１４６の前面における上下方向略中央部分に設けられ、ケーシング後壁１４６の前面から前方に向かって膨出する側面視略半円形状の略平板形状に形成されている。
【０１３０】
内側ケーシング６１は、側面視略矩形状の略ボックス形状に形成され、給紙部４（図１参照）および画像形成部５を収容可能な上下方向長さおよび左右方向長さを有し、後側において外側ケーシング６０と間隔を隔てるように、外側ケーシング６０内に前側に詰めるように収容されている。
【０１３１】
内側ケーシング６１は、前後方向に互いに間隔を隔てて対向配置される前壁８１および後壁８２を備えている。
【０１３２】
前壁８１は、図５および図１１（ｂ）に示すように、左右方向に長手の略平板形状に形成され、第２開口部８３（図５参照）と、前側連結支持穴１９１（図１１（ｂ）参照）とが形成されている。
【０１３３】
第２開口部８３は、図５に示すように、外側ケーシング６０の第１開口部８と前後方向に連通するように、前壁８１の左右方向略中央部分に形成されている。
【０１３４】
また、第２開口部８３は、上側部分のドラム開口部８４と、下側部分の現像開口部８５とから形成されている。
【０１３５】
ドラム開口部８４は、左右方向に長手の正面視略矩形状に貫通形成され、その左右両端縁には、押圧ユニット溝８６が形成されている。
【０１３６】
押圧ユニット溝８６は、ドラム開口部８４の左右方向端縁から左右方向外方に向かって窪む正面視略コ字状に形成されている。
【０１３７】
現像開口部８５は、左右方向に長手の正面視略矩形状に貫通形成され、その左右方向長さが、ドラム開口部８４の左右方向長さと略同じ長さに形成されている。
【０１３８】
そして、現像開口部８５は、現像開口部８５の左端縁がドラム開口部８４の左端縁よりも左側に位置されるとともに、現像開口部８５の右側部分がドラム開口部８４の左側部分と上下方向に連通するように、ドラム開口部８４の下側に形成されている。
【０１３９】
前側連結支持穴１９１は、図１１（ｂ）に示すように、現像開口部８５の左側であって、フロントカバー６が閉鎖位置に配置された状態において、第１ピニオンギヤ６７の第１結合部７６と前後方向に対向する部分に、正面視略円形状に貫通形成されている。前側連結支持穴１９１の穴径は、連結部１１７（後述）の軸部１２８（後述）の外径よりも大径に形成されている。
【０１４０】
後壁８２には、図２および図１１（ｃ）に示すように、被支持部挿通穴８８（図２参照）と、後側連結支持穴１９２（図１１（ｃ）参照）とが形成されている。
【０１４１】
被支持部挿通穴８８は、図２に示すように、複数（４つ）のＬＥＤユニット１７のＬＥＤ被支持部１７６（後述）のそれぞれに対応して、左右方向に互いに間隔を隔てて複数（４つ）形成されている（図１参照）。
【０１４２】
複数（４つ）の被支持部挿通穴８８のそれぞれは、後壁８２の上下方向における略中央部分において、前後方向に貫通形成されている。被支持部挿通穴８８の上下方向長さは、ＬＥＤ被支持部１７６（後述）の上下方向長さよりも長く形成されている。
【０１４３】
後側連結支持穴１９２は、図１１（ａ）に示すように、後壁８２の左下側部分であって、前側連結支持穴１９１と前後方向において相対向する部分に形成され、正面視略円形状に貫通形成されている。後側連結支持穴１９２の穴径は、連結部１１７（後述）の軸部１２８（後述）の外径よりも大径に形成されている。
【０１４４】
また、後壁８２には、図２に示すように、第２カム支持部材９０と、第２対向部１０６と、駆動入力部９１（図１１（ｂ）参照）とが設けられている。
【０１４５】
第２カム支持部材９０は、第１カム支持部材６５（図１４参照）と同形状に形成され、フロントカバー６が閉鎖位置に配置された状態において、前後方向に投影したときに、第１カム支持部材６５の投影面と重なるように、後壁８２の前面に設けられている。
【０１４６】
第２カム支持部材９０は、第２本体部９５と、第２カム支持部９６とを一体的に備えている。
【０１４７】
第２本体部９５は、上下方向に延び、左右方向に長手の略平板形状に形成されている。
【０１４８】
また、第２本体部９５には、図１１（ｃ）に示すように、第２ギヤ挿入穴９７が形成されている。
【０１４９】
第２ギヤ挿入穴９７は、第２本体部９５の左下側部分において、第２ピニオンギヤ１００（後述）の第２挿入部１０３（後述）に対応して形成されている。また、第２ギヤ挿入穴９７は、後側連結支持穴１９２と前後方向において連通するように、背面視略円形状に貫通形成されている。第２ギヤ挿入穴９７の穴径は、第２挿入部１０３（後述）の外径と略同径に形成されている。
【０１５０】
第２カム支持部９６は、第２本体部９５の前面における下端部において、左右方向に延びるように設けられている（図６参照）。
【０１５１】
また、第２カム支持部９６は、図６に示すように、正面視略Ｊ字状に形成され、第２カムガイド部１８８と、第２ばね収容部１８９と一体的に備えている。
【０１５２】
第２カムガイド部１８８は、図２に示すように、第２本体部９５の前面における下端部から前方に向かって突出する側面視略矩形状に形成され、図６に示すように、左右方向に沿って延びる略杆状に形成されている。
【０１５３】
第２ばね収容部１８９は、左方に向かって開放される正面視略コ字状に形成され、その下側部分の左端部が第２カムガイド部１８８の右端部と連続するように設けられている。
【０１５４】
また、第２カム支持部材９０には、第２接離部材の一例としての第２カム部材９８と、第２駆動部材の一例としての第２ピニオンギヤ１００と、第２付勢手段の一例としての第２ばね部材９９とが設けられている。
【０１５５】
第２カム部材９８は、第１カム部材６６（図１４参照）と同形状であって、左右方向に延びる略杆状に形成され、第２ラックギヤ１０１と、第２作用部の一例としての第２カム部１０２を備えている。
【０１５６】
第２ラックギヤ１０１は、第２カム部材９８の上面における左端部に形成されている。
【０１５７】
第２カム部１０２は、第２ラックギヤ１０１の右側に設けられ、複数（４つ）の現像ユニット１６の後側のボス１５５（後述）のそれぞれに対応して、左右方向に互いに間隔を隔てて複数（４つ）形成されている。
【０１５８】
第２カム部１０２は、第２カム部材９８の上面から上方に向かって突出する正面視略矩形状に形成され、その右端部が、右方に向かうに従って下方に傾斜するように形成されている。
【０１５９】
また、複数（４つ）の第２カム部１０２のうち、最も左側に配置される第２カム部１０２、すなわち、ブラック現像ユニット１６Ｋに対応する第２カム部１０２（以下、ブラック第２カム部１０２Ｋとする。）は、その左右方向長さが、その他の現像ユニット１６に対応する第２カム部１０２（以下、その他の第２カム部１０２ＹＭＣとする。）の左右方向長さよりも長く形成されている。
【０１６０】
そして、第２カム部材９８は、前後方向に投影したときに、第１カム部材６６（図１４参照）と重なるように、第２カムガイド部１８８の上側に配置され、第２カムガイド部１８８の上面に沿って、左右方向にスライド移動可能に構成されている。
【０１６１】
すなわち、第２カム部材９８は、詳しくは後述するが、図６に示すように、最も左側に配置される全離間位置（第４位置の一例）と、全離間位置から右側に移動される単色作像位置（第３位置の一例）と、単色作像位置からさらに右側に移動される多色作像位置（第３位置の一例）とに移動可能に構成されている。
【０１６２】
第２カム部材９８が全離間位置に配置された状態において、第２カム部材９８の左端部は、図６に示すように、上下方向から見て、第２カムガイド部１８８の左端部と一致するように配置され、第２カム部材９８の右端部は、第２ばね収容部１８９の左端部に配置される。
【０１６３】
また、図示しないが、第２カム部材９８が単色作像位置に配置された状態において、第２カム部材９８の左端部は、第２カムガイド部１８８の左端部よりも右側に配置され、第２カム部材９８の右端部は、第２ばね収容部１８９の左右方向略中央部分に配置される。
【０１６４】
また、図示しないが、第２カム部材９８が多色作像位置に配置された状態において、第２カム部材９８の右端部は、第２ばね収容部１８９の右端部に配置される。
【０１６５】
第２ピニオンギヤ１００は、図１１（ｃ）に示すように、前後方向に延びる略円筒形状に形成され、第２ギヤ部１０４と、第２挿入部１０３とを一体的に備えている。
【０１６６】
第２ギヤ部１０４は、第２ピニオンギヤ１００の前側部分であって、前後方向に延びる略円筒形状に形成され、その外径は、第１ピニオンギヤ６７の第１ギヤ部７５の外径と同径に形成されている。また、第２ギヤ部１０４の外周面には、その全周にわたって、ギヤ歯が形成されている。
【０１６７】
また、第２ギヤ部１０４の内周面は、第２結合部１０５として形成されている。
【０１６８】
第２結合部１０５には、フロントカバー６が閉鎖位置に配置された状態において、本体ケーシング２に設けられる連結部１１７（後述）の第２カップリング部１３０（後述）が相対回転不能に挿入される。
【０１６９】
第２挿入部１０３は、第２ピニオンギヤ１００の後側部分であって、第２ギヤ部１０４と中心軸線が一致するように、第２ギヤ部１０４の後端部から後方に向かって突出する略円筒形状に形成されている。第２挿入部１０３の外径は、第２ギヤ部１０４の外径よりも小径に形成され、第２挿入部１０３の内径は、連結部１１７（後述）の軸部１２８（後述）の外径よりも僅かに大径に形成されている。
【０１７０】
そして、第２ピニオンギヤ１００は、第２挿入部１０３が第２ギヤ挿入穴９７に相対回転可能に挿入されるとともに、第２ギヤ部１０４の下側部分が第２ラックギヤ１０１と噛合（連結）するように（図６参照）、第２カム部材９８の左端部の上側に配置されている。
【０１７１】
詳しくは、第２ピニオンギヤ１００は、図６に示すように、第２カム部材９８が全離間位置に配置された状態において、第２ラックギヤ１０１の右端部と噛合し、図示しないが、第２カム部材９８が単色作像位置に配置された状態において、第２ラックギヤ１０１の左右方向略中央部分と噛合し、第２カム部材９８が多色作像位置に配置された状態において、第２ラックギヤ１０１の左端部と噛合する。
これにより、第２ピニオンギヤ１００は、第１ピニオンギヤ６７（図１１（ｂ）参照）と、前後方向において相対向するように配置され、後壁８２に対して相対回転可能に支持されている。また、第２ピニオンギヤ１００の第２挿入部１０３は、後側連結支持穴１９２と前後方向に連通されている。
【０１７２】
第２ばね部材９９は、図６に示すように、左右方向に延びる空心コイル状に形成され、第２カム部材９８の右端部と第２ばね収容部１８９の右壁との間に介在されるように、第２ばね収容部１８９に収容されている。
【０１７３】
そして、第２ばね部材９９は、その左端部が第２カム部材９８の右端部に固定されるとともに、その右端部が第２ばね収容部１８９の右壁の左面に固定されている。
【０１７４】
これにより、第２カム部材９８は、常には、第２ばね部材９９により、左方に向かって付勢され、第１カム部材６６と同様に全離間位置に配置されている。つまり、第２ばね部材９９は、第２カム部材９８を、多色作像位置（または単色作像位置）から全離間位置に向かって付勢している。
【０１７５】
第２対向部１０６は、図２に示すように、被支持部挿通穴８８の上側における後壁８２の前面において、左右方向に延びるように設けられている（図９（ａ）参照）。また、第２対向部１０６は、後壁８２の前面から前方に向かって突出する側面視略矩形状に形成されている。
【０１７６】
駆動入力部９１は、図１１（ｃ）に示すように、後壁８２の後面において、後壁８２に対して第２ピニオンギヤ１００の反対側に設けられている。
【０１７７】
駆動入力部９１は、駆動フレーム１０７と、駆動ギヤ１０８とを備えている。
【０１７８】
駆動フレーム１０７は、前方に向かって開放される側面視略コ字状に形成され、その後壁の前面には、駆動ギヤ支持部１０９が固定されている。
【０１７９】
駆動ギヤ支持部１０９は、上下方向に延びる側面視略矩形状に形成され、その上下方向略中央部分には、駆動ギヤ支持穴１１０が形成されている。
【０１８０】
駆動ギヤ支持穴１１０は、駆動ギヤ１０８（後述）の被支持部１１１（後述）に対応して形成され、前後方向に投影したときに、第２ギヤ挿入穴９７の投影面と一致するように、正面視略円形状に貫通形成されている。
【０１８１】
そして、駆動フレーム１０７は、その上端部および下端部のそれぞれが後壁８２の後面に固定されることにより、後壁８２に支持されている。
【０１８２】
駆動ギヤ１０８は、入力ギヤ部１１２と、被支持部１１１とを備えている。
【０１８３】
入力ギヤ部１１２は、前後方向に延びる略円筒形状に形成され、その外周面には、その全周にわたって、ギヤ歯が形成されている。
【０１８４】
また、入力ギヤ部１１２の内周面は、駆動側結合部１１４として形成されている。
【０１８５】
駆動側結合部１１４には、フロントカバー６が閉鎖位置に配置された状態において、本体ケーシング２に設けられる連結部１１７（後述）の駆動カップリング部１３１（後述）が相対回転不能に挿入される。
【０１８６】
被支持部１１１は、入力ギヤ部１１２と中心軸線が一致するように、入力ギヤ部１１２の後端部から後方に向かって突出する略円筒形状に形成されている。被支持部１１１の外径は、入力ギヤ部１１２の外径よりも小径に形成され、被支持部１１１の内径は、連結部１１７（後述）の軸部１２８（後述）の外径と略同径に形成されている。
【０１８７】
そして、入力ギヤ部１１２は、被支持部１１１が駆動ギヤ支持穴１１０に相対回転可能に挿入されることにより、駆動フレーム１０７内に収容され、後壁８２に対して相対回転可能に支持されている。
【０１８８】
また、前壁８１および後壁８２の間には、図９（ａ）および図１１（ａ）に示すように、隔壁８９と、位置決め部材の一例としての位置決め軸１１５（図９（ａ）参照）と、押圧部材の一例として押圧ユニット１１６（図９（ａ）参照）と、第１駆動部材の一例としての連結部１１７（図１１（ａ）参照）とが支持されている。
【０１８９】
隔壁８９は、前後方向に延びる略平板形状に形成され、内側ケーシング６１の内部空間を、上側のユニット収容空間１９８と下側の給紙トレイ収容空間１９９とに区画するように、上下方向における給紙トレイ７と現像ユニット１６との間に設けられている（図２参照）。
【０１９０】
また、隔壁８９の上面には、ガイド部９３が固定されている。ガイド部９３は、図１および図２に示すように、複数（４つ）の現像ユニット１６のそれぞれに対応して、複数（４つ）設けられている。
【０１９１】
ガイド部９３は、上方に向かって開放される正面視略コ字形状（図１参照）かつ前後方向に延びる略トレイ状（図２参照）に形成され、上方および前方が開放されている。ガイド部９３は、その内面が、ユニットフレーム２５の下端部の外形に沿うように形成され、その内寸（左右方向長さおよび前後方向長さ）が、ユニットフレーム２５の外寸（左右方向長さおよび前後方向長さ）と略同じ長さに形成されている。また、ガイド部９３は、その前後方向長さが、隔壁８９の前後方向長さよりも短く形成されている。
【０１９２】
ガイド部９３の前端部には、図９（ａ）に示すように、回動部９４が設けられている。
【０１９３】
回動部９４は、側面視略矩形状に形成され、その後端部を支点として、ガイド部９３の前端部から屈曲して下方に向かって延びるように配置される現像引出許容位置と、ガイド部９３の前端部から前方に向かって延びるように配置される現像引出規制位置と（図３参照）、に回動可能に設けられている。詳しくは、回動部９４が現像引出許容位置に配置された状態において、回動部９４は、ガイド部９３の底壁よりも下側に配置され、回動部９４が現像引出規制位置に配置された状態において、回動部９４の上側部分は、図３に示すように、ガイド部９３の底壁よりも上側に位置するように配置される。
【０１９４】
そして、ガイド部９３は、ガイド部９３の前端部が、隔壁８９の前端部よりも前側に配置されるように、隔壁８９の上面に固定されている。これにより、回動部９４は、重力により、常には、現像引出許容位置に配置されている。また、ガイド部９３の後端部と後壁８２とは、前後方向に間隔を隔てて配置されている。
【０１９５】
位置決め軸１１５は、図９（ａ）に示すように、前後方向に延びる略円柱形状に形成され、図５に示すように、左右方向に互いに間隔を隔てて２つ並列配置されている。また、位置決め軸１１５は、図９（ａ）に示すように、その前後方向長さが、前壁８１と後壁８２との対向間隔よりも長く形成されている。
【０１９６】
そして、２つの位置決め軸１１５のそれぞれは、その前端部が、前壁８１の押圧ユニット溝８６の上端縁周端部を前後方向に貫通するとともに（図５参照）、その後端部が、第２対向部１０６および後壁８２を前後方向に貫通することにより、前壁８１および後壁８２に固定されている。
【０１９７】
押圧ユニット１１６は、ドラムユニット１５の複数（２つ）の被ガイド部１３８のそれぞれに対応して、複数（２つ）設けられ、２つの位置決め軸１１５のそれぞれの下側に配置されている（図５参照）。
【０１９８】
押圧ユニット１１６は、固定部１１９と、スライド部材１２０と、押圧ばね１２２と、移動部材１２１とを備えている。
【０１９９】
固定部１１９は、前後方向に延びる略杆状に形成され、その後端部には、突部１２３が一体的に設けられている。
【０２００】
突部１２３は、固定部１１９の後端部の上面から上方に向かって突出する側面視略矩形状に形成されている。
【０２０１】
そして、固定部１１９は、その前端部が、押圧ユニット溝８６の下端縁に下側から支持されるとともに（図５参照）、その後端部が、対応する後壁８２を前後方向に貫通することにより、前壁８１および後壁８２に固定されている。
【０２０２】
スライド部材１２０は、前後方向に延びる略杆状に形成され、その前後方向長さが、固定部１１９の前後方向長さと略同じ長さに形成されている。
【０２０３】
また、スライド部材１２０には、前後方向に互いに間隔を隔てて配置される複数（２つ）の押圧カム部１２４が設けられている。
【０２０４】
複数（２つ）の押圧カム部１２４のそれぞれは、スライド部材１２０の上面から上方に向かって突出する側面視略矩形状に形成され、その後端部が、後方に向かうに従って下方に傾斜するように形成されている。
【０２０５】
そして、スライド部材１２０は、図９（ａ）および図１０（ａ）に示すように、固定部１１９の突部１２３の前面とスライド部材１２０の後面とが前後方向において対向するように、固定部１１９の上側に配置されている。これにより、スライド部材１２０は、固定部１１９の上面に沿って、前後方向にスライド移動可能に構成されている。
【０２０６】
詳しくは、スライド部材１２０は、図１０（ａ）に示すように、スライド部材１２０の前端部が、外側ケーシング６０の第１開口部８を介して、外側ケーシング６０外に突出する突出位置と、図９（ａ）に示すように、スライド部材１２０の前端部が、外側ケーシング６０内に配置される当接位置とに移動可能である。
【０２０７】
押圧ばね１２２は、図１０（ａ）に示すように、前後方向に延びる空心コイルばね形状に形成され、固定部１１９の突部１２３の前面とスライド部材１２０の後面との間に介在されている。また、押圧ばね１２２の前端部は、スライド部材１２０の後面に固定され、押圧ばね１２２の後端部は、突部１２３の前面に固定されている。
【０２０８】
これにより、スライド部材１２０は、常には、押圧ばね１２２により前方に向かって付勢され、突出位置に配置されている。
【０２０９】
移動部材１２１は、前後方向に延びる略杆状に形成されている。
【０２１０】
また、移動部材１２１には、カム受入溝１２５と、ドラムガイド溝１２６（図５参照）とが形成されている。
【０２１１】
カム受入溝１２５は、複数（２つ）の押圧カム部１２４のそれぞれに対応して、移動部材１２１の下面における前後両端部にそれぞれ形成されている。
【０２１２】
カム受入溝１２５は、移動部材１２１の下面から上方に向かって窪む側面視略矩形状に形成され、その後端縁が、後方に向かうに従って下方に傾斜するように形成されている。
【０２１３】
ドラムガイド溝１２６は、図５に示すように、移動部材１２１の前面から後方に向かって窪む正面視略コ字状に形成され、図９（ａ）に示すように、前後方向に延びるように形成されている。また、ドラムガイド溝１２６の溝幅（上下方向長さ）は、被ガイド部１３８（後述）の上下方向長さと略同じ長さに形成されている。
【０２１４】
そして、移動部材１２１は、図９（ａ）および図１０（ａ）に示すように、スライド部材１２０の上側に配置され、上下方向に移動可能に構成されている。
【０２１５】
詳しくは、移動部材１２１は、図９（ａ）に示すように、スライド部材１２０が当接位置に配置された状態において、カム受入溝１２５の後側における移動部材１２１の下面と、押圧カム部１２４の上面とが当接して、上方に移動される押圧位置に配置される。また、移動部材１２１は、図１０（ａ）に示すように、スライド部材１２０が突出位置に配置された状態において、カム受入溝１２５が押圧カム部１２４を受け入れ、下方に移動される押圧解除位置に配置される。つまり、移動部材１２１は、図９（ａ）および図１０（ａ）に示すように、押圧位置と押圧解除位置とに上下方向に沿って移動可能である。
【０２１６】
また、押圧カム部１２４が、常には、突出位置に配置されているので、移動部材１２１は、常には、押圧解除位置に配置されている。
【０２１７】
連結部１１７は、図５に示すように、左側の押圧ユニット１１６の左下側に設けられ、図１２（ａ）に示すように、軸部１２８と、第１カップリング部１２９と、第２カップリング部１３０と、駆動カップリング部１３１と、連結部ばね１３２とを備えている。
【０２１８】
軸部１２８は、前後方向に延びる略円柱形状に形成され、その前後方向長さが、前壁８１と後壁８２との対向間隔よりも長く形成されている。
【０２１９】
そして、軸部１２８は、図１１（ａ）に示すように、その前端部が、前側連結支持穴１９１を介して、前壁８１よりも前方に突出するとともに、その後端部が、第２ピニオンギヤ１００および後側連結支持穴１９２を介して、後壁８２よりも後方に突出し、駆動ギヤ１０８に挿入されるように、前壁８１および後壁８２に相対回転可能に支持されている。
【０２２０】
第１カップリング部１２９は、図１１（ｂ）に示すように、軸部１２８の前端部において、第１ピニオンギヤ６７の第１結合部７６に対応して設けられている。つまり、第１カップリング部１２９は、前壁８１の前側に配置されている。
【０２２１】
第２カップリング部１３０は、図１１（ｃ）に示すように、第２ピニオンギヤ１００の第２結合部１０５に対応して、軸部１２８の後端部から、軸部１２８の前後方向長さに対して略１／１０の部分に設けられている。つまり、第２カップリング部１３０は、後壁８２の前側に配置されている。
【０２２２】
駆動カップリング部１３１は、軸部１２８の後端部において、駆動入力部９１の駆動側結合部１１４に対応して設けられている。つまり、駆動カップリング部１３１は、後壁８２の後側に配置されている。
【０２２３】
このような連結部１１７は、前側連結支持穴１９１および後側連結支持穴１９２のそれぞれが、軸部１２８の外径よりも大径に形成されているので、前後方向に沿ってスライド移動可能に構成されている。
【０２２４】
詳しくは、連結部１１７は、図１１（ａ）に示すように、軸部１２８の後端部が被支持部１１１に挿入されるとともに、駆動カップリング部１３１が駆動側結合部１１４の後端部に配置される連結位置（図１１（ｃ）参照）と、図１２（ａ）に示すように、軸部１２８の後端部が被支持部１１１から離脱されるとともに、駆動カップリング部１３１が駆動側結合部１１４の前端部に配置される連結解除位置（図１２（ｂ）参照）とに移動可能である。
【０２２５】
なお、連結部１１７が連結位置に配置された状態において、第１カップリング部１２９は、図１１（ｂ）に示すように、第１結合部７６に相対回転不能に嵌合され、第２カップリング部１３０は、図１１（ｂ）に示すように、第２結合部１０５に相対回転不能に嵌合される。そのため、第１ピニオンギヤ６７と第２ピニオンギヤ１００とは、連結部１１７が連結位置に配置された状態において、連結部１１７を介して、内側ケーシング６１に対して一体的に回動可能である。
【０２２６】
連結部ばね１３２は、図１２（ｂ）に示すように、前後方向に延びる空心コイル状に形成され、被支持部１１１に収容され、軸部１２８の後端部と、駆動ギヤ支持穴１１０に対応する駆動フレーム１０７の後壁との間に介在されている。
【０２２７】
これにより、連結部１１７は、連結部ばね１３２によって、常には、前方へ向かって付勢され、連結解除位置に配置されている（図１２（ａ）参照）。
【０２２８】
また、内側ケーシング６１には、図２に示すように、上記したベルトユニット３４と、ドラムユニット１５と、複数（４つ）のＬＥＤユニット１７と、複数（４つ）の現像ユニット１６とが収容されている。
【０２２９】
ベルトユニット３４は、内側ケーシング６１の上端部に配置されている。
３．ドラムユニットの詳細
ドラムユニット１５は、ベルトユニット３４の下側に配置され、ドラム支持部材の一例としてのドラムドロワ１３４を備えている。
【０２３０】
ドラムドロワ１３４は、詳しくは後述するが、本体ケーシング２に装着されるドラム装着位置（図３参照）と、本体ケーシング２から引き出されるドラム引出位置（図８（ａ）参照）とに、前後方向に沿ってスライド可能に設けられている。
【０２３１】
ドラムドロワ１３４は、平面視略矩形枠形状に形成され、図１および図２に示すように、前後方向に間隔を隔てて対向配置される１対のドラム側壁１３５（図２参照）と、１対のドラム側壁１３５の左右両端部間をそれぞれ架設する１対のドラムビーム１３６（図１参照）とを備えている。
【０２３２】
ドラム側壁１３５は、図１に示すように、左右方向に長手の略平板形状に形成され、被位置決め部１３７を一体的に備えている。
【０２３３】
被位置決め部１３７は、ドラム側壁１３５の左右両端部にそれぞれ設けられ、ドラム側壁１３５の左右方向端部における上下方向略中央部分から左右方向外方に向かって突出する正面視略矩形状に形成されている。なお、後側のドラム側壁１３５に設けられる被位置決め部１３７が、一端側被位置決め部の一例として対応し、前側のドラム側壁１３５に設けられる被位置決め部１３７が、他端側被位置決め部の一例として対応する。
【０２３４】
ドラムビーム１３６は、上下方向に長手の側面視略矩形状に形成され、被ガイド部１３８を一体的に備えている。
【０２３５】
被ガイド部１３８は、ドラムビーム１３６の左右方向外側面における下側部分から左右方向外方に向かって突出する側面視略矩形状に形成され、図９（ａ）に示すように、左右方向に延びるように形成されている。
【０２３６】
また、１対のドラム側壁１３５間において、複数（４つ）の感光ドラム２１と、上記したスコロトロン型帯電器２２およびドラムクリーニングローラ２３とが一体的に支持されている。
【０２３７】
感光ドラム２１は、図２に示すように、前後方向に延びる略円筒形状に形成されており、その前後両端部が、それぞれドラム側壁１３５に相対回転可能に支持されている。
４．ＬＥＤユニットの詳細
複数（４つ）のＬＥＤユニット１７のそれぞれは、ドラムユニット１５の下側であって、対応する現像ユニット１６の現像器２４の上端部の右側に配置されている。つまり、複数（４つ）のＬＥＤユニット１７のうち、ブラック感光ドラム２１Ｋ、イエロー感光ドラム２１Ｙおよびマゼンタ感光ドラム２１Ｍに対応する３つのＬＥＤユニット１７（以下、３つのＬＥＤユニット１７ＫＹＭとする。）は、互いに隣り合う現像ユニット１６の現像器２４の上端部間に配置されている。なお、ＬＥＤユニット１７の左右方向長さは、互いに隣り合う現像ユニット１６のユニットフレーム２５間（下側部分間）の左右方向間隔よりも長く形成されている。
【０２３８】
ＬＥＤユニット１７は、露光支持部材の一例としてのＬＥＤ支持部材１６７と、露光部材の一例としてのＬＥＤアレイ１６８とを備えている。
【０２３９】
ＬＥＤ支持部材１６７は、第１フレーム１７０と、第２フレーム１６９とを備えている。
【０２４０】
なお、以下のＬＥＤユニット１７の説明において、ＬＥＤユニット１７の上下前後左右方向は、第１フレーム１７０が後述する露光位置（図１、図２、図４、図６、図８（ｂ）図９（ａ）、図１１（ａ）、図１４〜図１６）に位置するときを基準としている。
【０２４１】
第１フレーム１７０は、ＬＥＤユニット１７の下端部に配置されている。第１フレーム１７０は、前後方向に長手の側面視略矩形状に形成され、１対の鉤状部１７４と、付勢部材の一例としての複数（２つ）の圧縮ばね１７３と、ＬＥＤ係合部１７５と、ＬＥＤ被支持部１７６とを備えている。
【０２４２】
１対の鉤状部１７４は、第１フレーム１７０の上面における左右両端部にそれぞれ設けられ、前後方向に互いに間隔を隔てて対向配置されている。鉤状部１７４は、第１フレーム１７０の上面から上方に向かって延びる側面視略矩形状に形成されており、その上端部が前後方向内方に向かって屈曲している。
【０２４３】
複数の圧縮ばね１７３のそれぞれは、図１に示すように、上下方向に延びる空心コイル状に形成され、第１フレーム１７０の上面において、１対の鉤状部１７４のそれぞれの前後方向内側に配置されている。また、圧縮ばね１７３は、その下端部が、第１フレーム１７０の上面に固定されている。
【０２４４】
ＬＥＤ係合部１７５は、第１フレーム１７０の前端面から前方に向かって延びる略円柱状に形成されている。ＬＥＤ係合部１７５には、図７（ｃ）に示すように、案内部材溝１７７が形成されている。
【０２４５】
案内部材溝１７７は、ＬＥＤ係合部１７５の前端部から後方に向かって窪む側面視略コ字状に形成され、その前側部分が、前方に向かうに従って先細りとなるように形成されている。
【０２４６】
また、案内部材溝１７７には、案内部材１７８が収容されている。
【０２４７】
案内部材１７８は、前方に向かって先細りとなる側面視略三角形状に形成され、その後端部には、ばね溝１７９が形成されている。
【０２４８】
ばね溝１７９は、案内部材１７８の後端部から前方に向かって窪む側面視略コ字状に形成されている。
【０２４９】
そして、案内部材１７８は、フロントカバー６に向かって前方に進出する案内位置（図７（ｂ）および図７（ｃ）参照）と、案内位置よりも、案内部材溝１７７の後端部に向かって後方に退避する非案内位置（図７（ａ）参照）とに進退（移動）可能に設けられている。
【０２５０】
そして、ばね溝１７９の後面と案内部材溝１７７の前面との間には、圧縮ばね１８０が介在されており、圧縮ばね１８０によって、案内部材１７８は、常には、前側へ向かって付勢され、案内位置に配置されている。
【０２５１】
ＬＥＤ被支持部１７６は、図２に示すように、第１フレーム１７０の後端面から後方に向かって延びる側面視略矩形状の略平板形状に形成されている。
【０２５２】
そして、第１フレーム１７０は、ＬＥＤ被支持部１７６が、対応する被支持部挿通穴８８に挿通されるとともに、ＬＥＤ被支持部１７６の後端部がＬＥＤ支持部１４７と左右方向に重なるように配置されており、その重なる部分（ＬＥＤ被支持部１７６およびＬＥＤ支持部１４７）には、略円柱状の回動軸１８１が左右方向に貫通されている。
【０２５３】
これにより、第１フレーム１７０は、回動軸１８１を支点として、回動（移動）可能に構成されている。つまり、第１フレーム１７０は、ＬＥＤ被支持部１７６の後端部が、本体ケーシング２に対して相対移動可能に支持されている。
【０２５４】
詳しくは、第１フレーム１７０は、図２に示すように、フロントカバー６が閉鎖位置に配置された状態において、ＬＥＤ係合部１７５の前端部が、カバー側係合部７９の係合溝８０に嵌合され、前後方向に沿うように配置される露光位置に配置される。
【０２５５】
また、第１フレーム１７０は、図３に示すように、フロントカバー６が開放位置に配置された状態において、ＬＥＤ係合部１７５の前端部と係合溝８０との嵌合が解除されて、前方に向かうに従って下方に傾斜するように配置される退避位置に配置される。
【０２５６】
なお、３つのＬＥＤユニット１７ＫＹＭにおける第１フレーム１７０のそれぞれは、図５に示すように、退避位置に配置された状態において、第１フレーム１７０の後面における前端部が、第１フレーム１７０の下側に配置されるユニットフレーム２５のユニット前壁１４０の上端部に当接され、ユニット前壁１４０により下側から支持されている。
【０２５７】
つまり、複数（４つ）のＬＥＤユニット１７のうち、３つのＬＥＤユニット１７ＫＹＭにおける第１フレーム１７０のそれぞれは、退避位置に配置された状態において、イエロー感光ドラム２１Ｙ、マゼンタ感光ドラム２１Ｍおよびシアン感光ドラム２１Ｃのそれぞれに対応する現像ユニット１６、すなわち、上記した第２現像ユニットに対応する現像ユニット１６に支持される。
【０２５８】
なお、シアン感光ドラム２１Ｃに対応するＬＥＤユニット１７の第１フレーム１７０は、退避位置に配置された状態において、ドラム開口部８４の下端縁に当接され、前壁８１により下側から支持されている。
【０２５９】
第２フレーム１６９は、第１フレーム１７０の上側に配置され、前後方向に長手の側面視略矩形状に形成されている。第２フレーム１６９の前後方向長さは、第１フレーム１７０の前後方向長さよりも短く形成されている。
【０２６０】
また、第２フレーム１６９には、複数（２つ）の位置決めコロ１７１と、複数（２つ）の突起１７２とが設けられている。
【０２６１】
複数（２つ）の位置決めコロ１７１のそれぞれは、略円板形状に形成され、第２フレーム１６９の前後両端面における上側部分に回転可能に支持されている。また、位置決めコロ１７１は、ＬＥＤアレイ１６８よりも上方に向かって僅かに突出するように設けられている。これにより、複数（２つ）の位置決めコロ１７１のそれぞれは、第１フレーム１７０が露光位置に配置された状態において、感光ドラム２１の左右両端部に下側から当接される。
【０２６２】
複数（２つ）の突起１７２のそれぞれは、第２フレーム１６９の前後両端面における下側部分から前後方向外方に向かって突出する側面視略矩形状に形成されている。
【０２６３】
そして、第２フレーム１６９は、複数（２つ）の突起１７２のそれぞれが、第１フレーム１７０の１対の鉤状部１７４のそれぞれと係合するように、第１フレーム１７０の上側に配置されている。
【０２６４】
これにより、第２フレーム１６９の下面と第１フレーム１７０の上面との間には、複数（２つ）の圧縮ばね１７３が介在され、第２フレーム１６９は、上下方向に伸縮するように、第１フレーム１７０に支持されている。そして、常には、第２フレーム１６９は、圧縮ばね１７３により、上方に向かって付勢されている。
【０２６５】
ＬＥＤアレイ１６８は、対応する感光ドラム２１を露光するために設けられ、第２フレーム１６９の上面に配置されている。ＬＥＤアレイ１６８は、左右方向に延びる略平板状に形成され、左右方向に並列配置される多数のＬＥＤを一体的に保持している。つまり、ＬＥＤアレイ１６８は、圧縮ばね１７３により、第２フレーム１６９を介して、対応する感光ドラム２１に向けて付勢されている。
【０２６６】
また、ＬＥＤアレイ１６８は、第１フレーム１７０が露光位置に配置された状態において、対応する感光ドラム２１を露光するように、感光ドラム２１に近接され、感光ドラム２１に対して下方から対向するように配置される。また、ＬＥＤアレイ１６８は、図３に示すように、第１フレーム１７０が退避位置に配置された状態では、第１フレーム１７０が露光位置に配置された状態と比較して、対応する感光ドラム２１から下方に退避されている。
５．現像ユニットの詳細
第１実施形態では、図１に示すように、ブラック現像ユニット１６Ｋ、イエロー現像ユニット１６Ｙ、マゼンタ現像ユニット１６Ｍおよびシアン現像ユニット１６Ｃが、左右方向に互いに間隔を隔てて並列配置されている。
【０２６７】
そして、４つの現像ユニット１６に関する構成は、ブラック現像ユニット１６Ｋが廃トナー収容部３１を保持する点を除いて、すべての現像ユニット１６において同様である。そこで、以下の説明において、現像ユニット１６ＹＭＣ（イエロー現像ユニット１６Ｙ、マゼンタ現像ユニット１６Ｍおよびシアン現像ユニット１６Ｃ）を詳細に説明し、ブラック現像ユニット１６Ｋの説明を省略する。
（１）ユニットフレーム
ユニットフレーム２５は、図１３（ａ）に示すように、側面視略Ｌ字形状に形成され、前後方向に延びるように形成され、その前後両端部のそれぞれが、図２および図５に示すように、ユニット前壁１４０およびユニット後壁１４１により閉鎖されている。
【０２６８】
なお、本第１実施形態では、ユニット前壁１４０およびユニット後壁１４１に関する構成は、それぞれ同様である。そこで、以下の説明において、ユニット前壁１４０を詳細に説明し、ユニット後壁１４１についての説明を省略する。
【０２６９】
ユニット前壁１４０は、図５に示すように、正面視略矩形状の略平板形状に形成されている。
【０２７０】
また、ユニット前壁１４０には、ガイド穴１４２と、揺動穴１４３とが形成されている。
【０２７１】
ガイド穴１４２は、現像器２４の大径ボス１６４（後述）および小径ボス１６５（後述）のそれぞれに対応する部分に形成され、上下方向に間隔を隔てて２つ形成されている。ガイド穴１４２は、正面視略楕円状に形成され、感光ドラム２１と現像ローラ２６との対向方向Ｘ（図１３（ｂ）参照）に沿って延びるように形成されている。ガイド穴１４２は、その長径が、対応する大径ボス１６４（後述）または小径ボス１６５（後述）の外径に対して、略１．５倍の長さに形成され、その短径が、対応する大径ボス１６４（後述）または小径ボス１６５（後述）の外径と略同径に形成されている。
【０２７２】
揺動穴１４３は、揺動部１５０（後述）のボス１５５（後述）に対応する部分に形成されている。また、揺動穴１４３は、揺動部１５０（後述）が現像位置（後述）と非現像位置（後述）とに移動したときの移動軌跡に沿うように湾曲して形成され、側面視略楕円形状に貫通形成されている。
【０２７３】
また、ユニットフレーム２５は、揺動部１５０と、現像器２４とを備えている。
（２）揺動部
揺動部１５０は、図２に示すように、前後方向に互いに間隔を隔てて対向配置される揺動部側壁１５１と、揺動部側壁１５１の左端部間に架設される揺動部左壁１５２（図１参照）と、揺動部側壁１５１の右端部間に架設される揺動軸１５８とを備えている。
【０２７４】
揺動部側壁１５１は、図１３（ａ）に示すように、下方に向かって膨出する側面視略半円形状に形成されている。また、揺動部側壁１５１には、付勢部収容溝１５３が形成されている。
【０２７５】
付勢部収容溝１５３は、揺動部側壁１５１の上端縁における左側部分から左下方に向かって窪む正面視略コ字状に形成されている。
【０２７６】
また、付勢部収容溝１５３内には、付勢部１５４が収容されている。
【０２７７】
付勢部１５４は、接触部１５６と、付勢ばね１５７とを備えている。
【０２７８】
接触部１５６は、付勢部１５４の上端部に設けられ、正面視略矩形状に形成されている。
【０２７９】
付勢ばね１５７は、左下方および右上方に延びる空心コイル状に形成され、接触部１５６の下面と付勢部収容溝１５３の上面との間に介在され、その上端部が接触部１５６の下面に固定され、その下端部が付勢部収容溝１５３の上面に固定されている。
【０２８０】
これにより、接触部１５６は、常には、付勢ばね１５７の付勢力により、上方（右上方）へ向かって付勢されている。
【０２８１】
また、揺動部側壁１５１の前後方向外側面には、ボス１５５が設けられている。
【０２８２】
ボス１５５は、揺動部側壁１５１の前後方向外側面における左端部から前後方向外方に向かって突出する略円柱形状に形成されている（図２参照）。ボス１５５の前後方向長さは、ユニット前壁１４０（ユニット後壁１４１）の厚みよりも長く形成されている。
【０２８３】
なお、前側の揺動部側壁１５１に設けられるボス１５５が、第１被作用部の一例として対応され、後側の揺動部側壁１５１に設けられるボス１５５が、第２被作用部の一例として対応される。
【０２８４】
揺動部左壁１５２は、図１に示すように、右上方に向かって開放される正面視略円弧形状に形成され、前後方向に延びるように形成されている（図２参照）。
【０２８５】
揺動軸１５８は、前後方向に延びる略円柱形状に形成され、その前後方向長さが、１対の揺動部側壁１５１の対向間隔よりも長く形成されている。そして、揺動軸１５８は、その前後両端部が１対の揺動部側壁１５１のそれぞれよりも、前後方向外方に向かって突出するように、１対の揺動部側壁１５１の右端部間に支持されている。
【０２８６】
そして、揺動部１５０は、図５に示すように、揺動軸１５８の前後両端部のそれぞれが、ユニット前壁１４０およびユニット後壁１４１に回転可能に支持されるとともに、ボス１５５が、対応する揺動穴１４３に挿通されるように、ユニットフレーム２５に収容されている。
【０２８７】
これにより、揺動部１５０は、図１３（ａ）および図１３（ｂ）に示すように、揺動軸１５８を支点として、ボス１５５が揺動穴１４３の下端部に配置される非現像位置（図１３（ａ）参照）と、ボス１５５が揺動穴１４３の上端部に配置される現像位置（図１３（ｂ）参照）とに回動（移動）可能に構成されている。
【０２８８】
また、ボス１５５の前後方向外側端部は、ユニット前壁１４０およびユニット後壁１４１のそれぞれよりも、前後方向外方に向かって突出している。
（３）現像器
現像器２４は、ユニットフレーム２５内において、揺動部１５０の上側に設けられており、現像フレーム１６０を備えている。
【０２８９】
現像フレーム１６０は、前後方向に延び、上側および右側が開放される中空筒形状に形成され（図１参照）、その前端部が現像前壁１６１に、その後端部が現像後壁１６２（図１参照）により、それぞれ閉鎖されている。
【０２９０】
なお、本実施形態では、現像前壁１６１および現像後壁１６２に関する構成は、それぞれ同様である。そこで、以下の説明において、現像前壁１６１を詳細に説明し、現像後壁１６２についての説明を省略する。
【０２９１】
現像前壁１６１の前面には、図１３（ａ）に示すように、被ガイド部１６３が設けられている。被ガイド部１６３は、大径ボス１６４と、小径ボス１６５とを備えている。
【０２９２】
大径ボス１６４は、現像前壁１６１の前面における左上側部分に設けられ、現像前壁１６１から前方に向かって突出する略円筒形状に形成されている。
【０２９３】
小径ボス１６５は、大径ボス１６４の下側において、大径ボス１６４と上下方向に間隔を隔てて配置され、現像前壁１６１から前方に向かって突出する略円筒形状に形成されている。
【０２９４】
また、現像前壁１６１および現像後壁１６２は、その上端部間において、上記した現像ローラ２６を右上側から露出されるように回転可能に支持し、図１に示すように、その下端部間において、上記したトナー収容部２９を支持している。
【０２９５】
そして、現像器２４は、図１３（ａ）に示すように、大径ボス１６４および小径ボス１６５がそれぞれ対応するガイド穴１４２に内側から挿通されるとともに、トナー収容部２９の下端部が１対の揺動部側壁１５１間に配置されるように、ユニットフレーム２５内に収容されている。
【０２９６】
これにより、現像器２４の小径ボス１６５は、付勢部１５４の接触部１５６の上面に対して、上側から接触している。
【０２９７】
そのため、現像器２４は、図１３（ｂ）に示すように、揺動部１５０が現像位置に配置された状態において、小径ボス１６５が接触部１５６により右上方に向かって押圧され、大径ボス１６４および小径ボス１６５がそれぞれ対応するガイド穴１４２の上端部に配置される。
【０２９８】
これにより、現像器２４の現像ローラ２６は、図１６に示すように、対応する感光ドラム２１に近づきまたは接触する近接位置に配置される。なお、第１実施形態では、現像ローラ２６が近接位置に位置された状態において、対応する感光ドラム２１と接触している。
【０２９９】
また、現像器２４は、図１３（ａ）に示すように、揺動部１５０が非現像位置に配置された状態において、大径ボス１６４および小径ボス１６５がそれぞれ対応するガイド穴１４２の下端部に配置される。
【０３００】
これにより、現像器２４の現像ローラ２６は、図１４に示すように、対応する感光ドラム２１から離間する離間位置に配置される。
【０３０１】
つまり、現像ローラ２６は、揺動部１５０の現像位置と非現像位置との移動に伴なって、近接位置と離間位置とに移動可能である。
６．本体ケーシングに対するドラムユニットの装着および引き出し動作
次に、本体ケーシング２に対するドラムユニット１５の装着および引き出し動作について説明する。
（１）本体ケーシングに対するドラムユニットの装着動作
ドラムユニット１５を本体ケーシング２に対して装着するには、まず、図３に示すように、フロントカバー６を開放位置に配置して、第１開口部８および第２開口部８３を開放する。
【０３０２】
このとき、ＬＥＤユニット１７のＬＥＤ係合部１７５の前端部と、フロントカバー６のカバー側係合部７９の係合溝８０とは、係合（嵌合）が解除されており、第１フレーム１７０は退避位置に配置されている。
【０３０３】
また、案内部材１７８は、図７（ｂ）に示すように、案内位置に配置されている。
【０３０４】
また、ガイド部９３の回動部９４は、図３に示すように、フロントカバー６の規制部材７７に下側から支持されて、現像引出規制位置に配置されている。
【０３０５】
そのため、回動部９４の上側部分がガイド部９３の底壁よりも上側に位置されているので、現像ユニット１６の本体ケーシング２（ユニット収容空間１９８）からの引き出しが規制されている。
【０３０６】
また、スライド部材１２０は、図１０（ａ）に示すように、突出位置に配置され、移動部材１２１は、押圧解除位置に配置されている。
【０３０７】
また、連結部１１７は、図１２（ａ）に示すように、連結解除位置に配置されている。
【０３０８】
次いで、ドラムドロワ１３４の被ガイド部１３８が、図１０（ａ）に示すように、対応する移動部材１２１のドラムガイド溝１２６に前側から挿入されるように、ドラムユニット１５を、第１開口部８およびドラム開口部８４（図５参照）を介して、本体ケーシング２（ユニット収容空間１９８）に対して前側から挿入する。
【０３０９】
このとき、移動部材１２１が押圧解除位置に配置されているので、ドラムユニット１５の感光ドラム２１の上端部と、中間転写ベルト３８の下側部分とは、上下方向に間隔を隔てて対向配置されている。
【０３１０】
ドラムユニット１５（ドラムドロワ１３４）を後方に向かって移動させると、ドラムドロワ１３４は、被ガイド部１３８がドラムガイド溝１２６にガイドされることにより、前後方向に沿って後方に移動され、内側ケーシング６１内に収容（装着）される。
【０３１１】
以上により、ドラムドロワ１３４が内側ケーシング６１内に装着されるドラム装着位置に配置される。
【０３１２】
次いで、図９（ａ）に示すように、フロントカバー６を開放位置から閉鎖位置に向けて移動させる。
【０３１３】
そうすると、スライド部材１２０の前端部が、フロントカバー６の後面に当接されることにより、スライド部材１２０が、押圧ばね１２２の付勢力に抗して、突出位置から当接位置に移動される。
【０３１４】
これにより、移動部材１２１は、スライド部材１２０の突出位置から当接位置への移動に伴って、スライド部材１２０の押圧カム部１２４により上方に向かって押圧され、押圧解除位置から押圧位置に移動される。
【０３１５】
そして、ドラムユニット１５は、ドラムドロワ１３４の被ガイド部１３８が、移動部材１２１のドラムガイド溝１２６内に配置されているので、移動部材１２１の移動に伴って、上方に移動される。
【０３１６】
そうすると、ドラム側壁１３５の被位置決め部１３７が、対応する位置決め軸１１５の前後方向端部に下側から当接（係合）される。
【０３１７】
すなわち、前側のドラム側壁１３５の左右両端部にそれぞれ設けられる被位置決め部１３７と、後側のドラム側壁１３５の左右両端部にそれぞれ設けられる被位置決め部１３７とは、ドラムユニット１５が内側ケーシング６１に収容（装着）された状態において、押圧ユニット１１６に押圧されることにより、対応する位置決め軸１１５の前後方向端部のそれぞれに当接（係合）される。
【０３１８】
これにより、ドラムユニット１５は、ドラムドロワ１３４の各端部（平面視における四隅）が、対応する位置決め軸１１５の前後方向端部に位置決めされることにより、内側ケーシング６１に対して位置決めされる。
【０３１９】
このとき、感光ドラム２１の上端部と中間転写ベルト３８の下側部分とは、上下方向において対向接触されている。
【０３２０】
以上によって、ドラムユニット１５の本体ケーシング２（ユニット収容空間１９８）に対する装着が完了する。
【０３２１】
また、ガイド部９３の回動部９４は、フロントカバー６が閉鎖位置に配置された状態において、規制部材７７との接触が解消されて、現像引出許容位置に配置される。
【０３２２】
また、案内部材１７８は、図７（ｂ）に示すように、フロントカバー６が開放位置から閉鎖位置に向かって移動されるときに、その前端部がカバー側係合部７９の係合溝８０の下端縁に下側から接触され、ＬＥＤ係合部１７５の前端部とカバー側係合部７９の係合溝８０とが嵌合（係合）するように、カバー側係合部７９の移動を案内する。
【０３２３】
そして、フロントカバー６が閉鎖位置に配置された状態において、ＬＥＤ係合部１７５の前端部が、図７（ａ）に示すように、カバー側係合部７９の係合溝８０に嵌合される。
【０３２４】
このとき、案内部材１７８は、その前端部が係合溝８０の前面に接触することにより、圧縮ばね１８０（図７（ｃ）参照）の付勢力に抗して、案内位置から非案内位置に移動される。
【０３２５】
これにより、ＬＥＤ支持部材１６７の第１フレーム１７０は、図２に示すように、ＬＥＤ係合部１７５の前端部がカバー側係合部７９の係合溝８０に嵌合されることにより、露光位置に配置される。
【０３２６】
すなわち、第１フレーム１７０は、フロントカバー６の開放位置から閉鎖位置への移動に伴って、退避位置から露光位置に移動される。つまり、カバー側係合部７９は、フロントカバー６が閉鎖位置に配置された状態において、第１フレーム１７０を露光位置に配置させるように、ＬＥＤ係合部１７５の前端部と係合する。
【０３２７】
また、連結部１１７は、図１１（ａ）〜図１１（ｃ）に示すように、フロントカバー６が開放位置から閉鎖位置に移動されると、第１カップリング部１２９が第１ピニオンギヤ６７の第１結合部７６に相対回転不能に嵌合（連結）されるとともに、軸部１２８の前端部が第１結合部７６の後面に接触され押圧されることにより、連結部ばね１３２の付勢力に抗して、連結解除位置から連結位置に移動される。
【０３２８】
そうすると、図１１（ｃ）に示すように、連結部１１７の第２カップリング部１３０が、第２ピニオンギヤ１００の第２結合部１０５に相対回転不能に嵌合（連結）される。
【０３２９】
これにより、連結部１１７は、図１１（ｂ）および図１１（ｃ）に示すように、その前端部において、第１ピニオンギヤ６７を介して、第１カム部材６６に連結され（図１１（ｂ）参照）、その後端部において、第２ピニオンギヤ１００を介して、第２カム部材９８に連結される（図１１（ｃ）参照）。
（２）本体ケーシングに対するドラムユニットの引き出し動作
ドラムユニット１５を本体ケーシング２から引き出すには、上記したドラムユニット１５の装着動作と逆の手順に操作する。
【０３３０】
具体的には、まず、図１０（ａ）および図１０（ｂ）に示すように、フロントカバー６を、閉鎖位置から開放位置に移動させて、第１開口部８および第２開口部８３を開放する。
【０３３１】
そうすると、図１０（ａ）に示すように、スライド部材１２０の前端部とフロントカバー６の後面との当接が解消されて、スライド部材１２０が当接位置から突出位置に移動される。
【０３３２】
そして、スライド部材１２０の移動に伴って、移動部材１２１が押圧位置から押圧解除位置に移動されるとともに、移動部材１２１の移動に伴って、ドラムユニット１５が下方に移動される。
【０３３３】
これにより、感光ドラム２１の上端部と中間転写ベルト３８の下側部分とが、上下方向において離間される。
【０３３４】
また、ガイド部９３の回動部９４は、フロントカバー６の閉鎖位置から開放位置への移動に伴って、規制部材７７に接触されることにより、現像引出許容位置（図９（ａ）参照）から現像引出規制位置に移動される。
【０３３５】
また、第１フレーム１７０は、図３に示すように、フロントカバー６の閉鎖位置から開放位置への移動に伴って、ＬＥＤ係合部１７５の前端部がカバー側係合部７９の係合溝８０に嵌合が解除されることにより、露光位置から退避位置に移動される。
【０３３６】
これにより、ＬＥＤアレイ１６８は、対応する感光ドラム２１から下方に退避される。
【０３３７】
このとき、３つのＬＥＤユニット１７ＫＹＭにおける第１フレーム１７０のそれぞれは、その第１フレーム１７０の下面における前端部が、上記した第２現像ユニットに対応する現像ユニット１６のユニット前壁１４０の上端部に当接されることにより、退避位置に配置されるように現像ユニット１６に支持されている。
【０３３８】
すなわち、３つのＬＥＤユニット１７ＫＹＭのそれぞれは、フロントカバー６が開放位置に配置された状態において、退避位置に配置されるように、上記の第２現像ユニットに対応する現像ユニット１６支持される。
【０３３９】
なお、シアン感光ドラム２１Ｃに対応するＬＥＤユニット１７の第１フレーム１７０は、フロントカバー６が開放位置に配置された状態において、その第１フレーム１７０の下面における前端部が、ドラム開口部８４の下端縁に当接されることにより、退避位置に配置されるように前壁８１に支持されている。
【０３４０】
また、連結部１１７は、図１２（ａ）に示すように、フロントカバー６の閉鎖位置から開放位置への移動に伴って、軸部１２８の前端部と第１結合部７６の後面との接触が解除されるので、連結部ばね１３２の付勢力により、連結位置から連結解除位置に移動される。
【０３４１】
これにより、連結部１１７は、第１結合部７６と第１カップリング部１２９との嵌合（連結）が解除されるとともに、第２結合部１０５と第２カップリング部１３０との嵌合（連結）が解除される。すなわち、連結部１１７は、フロントカバー６の閉鎖位置から開放位置への移動に伴って、第１ピニオンギヤ６７を介する第１カム部材６６との連結が解除されるとともに、第２ピニオンギヤ１００を介する第２カム部材９８との連結が解除される。
【０３４２】
そうすると、第１カム部材６６は、第１ばね部材６８の付勢力により、左方に向かって付勢され、全離間位置に配置される（図１４参照）。また、第２カム部材６６は、図６に示すように、第２ばね部材９９の付勢力により、左方に向かって付勢され、全離間位置に配置される。つまり、第１カム部材６６および第２ばね部材９９は、フロントカバー６が開放位置に配置された状態において、それぞれ全離間位置に配置される。
【０３４３】
次いで、図８（ａ）に示すように、ドラムユニット１５（ドラムドロワ１３４）を、本体ケーシング２に対して、第１開口部８および第２開口部８３のドラム開口部８４（図５参照）を介して、前後方向に沿って前側に引き出す。これにより、ドラムドロワ１３４に支持される感光ドラム２１は、本体ケーシング２に対して、第１開口部８および第２開口部８３のドラム開口部８４（図５参照）を介して、前後方向に沿って前側に引き出される。
【０３４４】
以上により、ドラムドロワ１３４が、本体ケーシング２から引き出されるドラム引出位置に配置され、ドラムユニット１５の本体ケーシング２からの引き出しが完了する。
７．本体ケーシングに対する現像ユニットの装着および引き出し動作
次に、本体ケーシング２に対する現像ユニット１６の装着および引き出し動作について説明する。
【０３４５】
現像ユニット１６を本体ケーシング２に対して装着するには、図８（ｂ）に示すように、まず、現像側カバー６３を現像カバー開放位置に配置して、現像開口６２（第１開口部８）および第２開口部８３の現像開口部８５を開放する。
【０３４６】
このとき、ＬＥＤユニット１７の第１フレーム１７０は、ＬＥＤ係合部１７５の前端部がカバー側係合部７９の係合溝８０に嵌合されているので、露光位置に配置されている。
【０３４７】
また、ガイド部９３の回動部９４は、現像引出許容位置に配置されている。
【０３４８】
次いで、現像ユニット１６のユニットフレーム２５の下端部が、ガイド部９３に対して前側から挿入されるように、現像開口６２および現像開口部８５を介して、ユニット収容空間１９８に向かって、現像ユニット１６を前側から挿入する。
【０３４９】
そうすると、現像ユニット１６のユニットフレーム２５の下端部が、ガイド部９３に対して前側から挿入され、現像ユニット１６が、ガイド部９３にガイドされることにより後方に向かって移動され、現像装着位置に配置される。
【０３５０】
以上によって、現像ユニット１６の本体ケーシング２（ユニット収容空間１９８）に対する装着が完了する。
【０３５１】
なお、現像ユニット１６を本体ケーシング２（ユニット収容空間１９８）から離脱させるには、上記した装着動作と逆の手順に操作する。
【０３５２】
そうすると、現像ユニット１６は、図８（ｂ）に示すように、ガイド部９３にガイドされることにより、前方に向かって移動され、現像開口６２（第１開口部８）および現像開口部８５を介して、ユニット収容空間１９８から前側に引き出される。
【０３５３】
これにより、現像ユニット１６は、本体ケーシング２（ユニット収容空間１９８）から引き出される現像引出位置に配置される。
８．現像ローラの感光ドラムに対する接離動作
次に、現像ローラ２６の感光ドラム２１に対する接離動作について説明する。
【０３５４】
カラープリンタ１では、黒色の画像を形成するモノクロモードと、カラー画像を形成するカラーモードとを切り替えることができる。
【０３５５】
モノクロモードでは、図１５に示すように、ブラック現像ユニット１６Ｋの現像ローラ２６が、ブラック感光ドラム２１Ｋと接触される近接位置に配置されている。
【０３５６】
これに対して、ブラック以外の現像ユニット１６（イエロー現像ユニット１６Ｙ、マゼンタ現像ユニット１６Ｍおよびシアン現像ユニット１６Ｃ、以下、３色の現像ユニット１６ＹＭＣとする。）の現像ローラ２６は、対応する感光ドラム２１（イエロー感光ドラム２１Ｙ、マゼンタ感光ドラム２１Ｍおよびシアン感光ドラム２１Ｃ）と離間される離間位置に配置されている。
【０３５７】
カラーモードでは、図１６に示すように、すべての現像ユニット１６の現像ローラ２６が近接位置に配置されている。
【０３５８】
一方、すべての現像ローラ２６は、図１４に示すように、揺動部１５０が常には非現像位置に配置されていることにより（図１３（ａ）参照）、常には、離間位置に配置されている。
【０３５９】
そこで、画像形成動作が実行されるときに、現像ローラ２６を対応する感光ドラム２１と接触する近接位置（図１３（ｂ）参照）に配置させるためには、図１５および図１６に示すように、第１カム部材６６および第２カム部材９８のそれぞれを、単色作像位置または多色作像位置に配置して、揺動部１５０を現像位置に配置させる。
【０３６０】
第１カム部材６６および第２カム部材９８のそれぞれを、単色作像位置または多色作像位置に配置するには、図１１（ａ）に示すように、本体ケーシング２に設けられるモータなどの駆動源（図示せず）からの駆動力を、駆動ギヤ１０８の入力ギヤ部１１２に入力する。
【０３６１】
そうすると、駆動源（図示せず）からの駆動力が、連結部１１７を介して、第１ピニオンギヤ６７および第２ピニオンギヤ１００に伝達される。
【０３６２】
そして、第１ピニオンギヤ６７および第２ピニオンギヤ１００に駆動力が伝達されると、第１ピニオンギヤ６７および第２ピニオンギヤ１００は、図６および図１４に示すように、矢印方向で示す回転方向Ａ（正面視反時計方向）に一体的に回転駆動される。
【０３６３】
これにより、第１カム部材６６（図１４参照）および第２カム部材９８（図６参照）のそれぞれは、詳しくは後述するが、互いに連動して、全離間位置から右方に向かって一体的に移動され、単色作像位置と、多色作像位置とに適宜配置される。そこで、以下の説明において、第１カム部材６６の移動について詳細に説明し、第２カム部材９８の移動についての説明を省略する。なお、第２カム部材９８の第２カム部１０２は、第１カム部材６６の第１カム部７３に対応する。
（１）全離間位置
第１カム部材６６が全離間位置に配置された状態において、複数（４つ）の第１カム部７３のそれぞれは、対応するボス１５５の左側に左右方向に間隔を隔てて配置されている。
【０３６４】
すなわち、第１カム部材６６が全離間位置に配置された状態において、対応するボス１５５は、第１カム部７３による作用が解除されている。同様に、第２カム部材９８が全離間位置に配置された状態において、対応するボス１５５は、第２カム部１０２による作用が解除されている。
【０３６５】
そのため、すべての揺動部１５０が、図１３（ａ）に示すように、非現像位置に配置され、すべての現像ローラ２６が離間位置に配置されている。つまり、第１カム部材６６および第２カム部材９８のそれぞれは、全離間位置に配置された状態において、現像ローラ２６を離間位置に配置させる。
（２）単色作像位置
そして、第１カム部材６６に、第１ピニオンギヤ６７および連結部１１７を介して、駆動力が伝達されると、第１カム部材６６は、全離間位置から右方に向かって移動される。
【０３６６】
そうすると、複数（４つ）の第１カム部７３のうち、最も左側に配置されるブラック第１カム部７３Ｋが、ブラック現像ユニット１６Ｋのボス１５５に到達し、ブラック現像ユニット１６Ｋのボス１５５の下側に進入する。
【０３６７】
これにより、ブラック現像ユニット１６Ｋのボス１５５は、ブラック第１カム部７３Ｋの右端部の傾斜に沿って上方に向かって押圧され、揺動穴１４３の下端部から上端部に向かって移動される。
【０３６８】
そして、第１カム部材６６が単色作像位置に到達すると、ブラック現像ユニット１６Ｋのボス１５５の前端部（前後方向外側端部）は、ブラック第１カム部７３Ｋの上面における右端部に配置される。
【０３６９】
このとき、ブラック現像ユニット１６Ｋの揺動部１５０は、図１３（ｂ）に示すように、前後両側のボス１５５が、ブラック第１カム部７３Ｋおよびブラック第２カム部１０２Ｋにより、それぞれ揺動穴１４３の上端部に位置されるので、現像位置に配置される。
【０３７０】
そのため、ブラック現像ユニット１６Ｋの現像ローラ２６のみが、近接位置に配置され、カラープリンタ１は、モノクロモードに設定される。
（３）多色作像位置
また、第１カム部材６６に駆動力が伝達され、第１カム部材６６が単色作像位置からさらに右方に向かって移動されると、図１６に示すように、その他の第１カム部７３ＹＭＣのそれぞれが、対応する３色の現像ユニット１６ＹＭＣのボス１５５に到達し、そのボス１５５の下側に進入する。
【０３７１】
これにより、３色の現像ユニット１６ＹＭＣのボス１５５のそれぞれは、その他の第１カム部７３ＹＭＣのそれぞれの右端部の傾斜に沿って上方に向かって押圧され、揺動穴１４３の下端部から上端部に向かって移動される。
【０３７２】
そして、第１カム部材６６が多色作像位置に到達すると、３色の現像ユニット１６ＹＭＣのボス１５５の前端部（前後方向外側端部）が、その他の第１カム部７３ＹＭＣの上面に配置されるとともに、ブラック現像ユニット１６Ｋのボス１５５の前端部（前後方向外側端部）が、ブラック第１カム部７３Ｋの上面における左端部に配置される。
【０３７３】
そのため、すべての揺動部１５０が、図１３（ｂ）に示すように、現像位置に配置され、すべての現像ローラ２６が近接位置に配置される。
【０３７４】
これにより、カラープリンタ１は、カラーモードに設定される。
【０３７５】
すなわち、第１カム部７３および第２カム部１０２のそれぞれは、第１カム部材６６および第２カム部材９８のそれぞれが、全離間位置から多色作像位置（または単色作像位置）に移動したときに、現像ローラ２６を、離間位置から近接位置に向けて移動するように誘導する。そして、第１カム部７３および第２カム部１０２のそれぞれは、第１カム部材６６および第２カム部材９８のそれぞれが多色作像位置（または単色作像位置）に配置された状態において、対応するボス１５５を下側から支持するように作用する。
【０３７６】
以上によって、モノクロモードとカラーモードとに、適宜切り替えることができる。
９．作用効果
（１）カラープリンタ１では、図３に示すように、ＬＥＤユニット１７の第１フレーム１７０が、フロントカバー６が開放位置に配置された状態において、退避位置に配置されるように、第２現像ユニットに対応する現像ユニット１６に支持されるので、感光ドラム２１を、本体ケーシング２に対して、前後方向（感光ドラム２１の軸線方向）に沿って引き出し可能に構成できる。
【０３７７】
また、互いに隣り合う現像ユニット１６の間に、ＬＥＤユニット１７の第１フレーム１７０を支持するための支持部材を設ける必要がなく、また、本体ケーシング２内にＬＥＤユニット１７の第１フレーム１７０を退避させるための退避機構を設ける必要もない。
【０３７８】
そのため、部品点数の低減およびカラープリンタ１の小型化を図ることができる。
【０３７９】
従って、ＬＥＤユニット１７の効率的な配置を確保できるとともに、感光ドラム２１を本体ケーシング２に対して前後方向に沿って引き出し可能に構成でき、さらには、カラープリンタ１の小型化を図ることができる。
（２）また、カラープリンタ１は、図１に示すように、複数（４つ）の感光ドラム２１を一体的に支持するドラムドロワ１３４を備えている。そして、ドラムドロワ１３４は、本体ケーシング２に対して、第１開口部８を介して、前後方向に沿って引き出し可能に構成される。
【０３８０】
そのため、複数（４つ）の感光ドラム２１を同時に交換することができる。
【０３８１】
その結果、複数（４つ）の感光ドラム２１の交換作業の効率化を図ることができ、カラープリンタ１のメンテナンス性の向上を図ることができる。
（３）また、フロントカバー６は、図２および図３に示すように、第１開口部８を開放する開放位置と、第１開口部８を閉鎖する閉鎖位置とに移動可能である。
【０３８２】
そのため、引出規制手段とフロントカバー６とがそれぞれ別部材として設けられる場合と比較して、部品点数の低減を図ることができる。
【０３８３】
また、フロントカバー６が開放位置に配置された状態において、第１開口部８が開放されるので、感光ドラム２１の本体ケーシング２に対する引き出しを確実に許容でき、フロントカバー６が閉鎖位置に配置された状態において、第１開口部８が閉鎖されるので、所望しない感光ドラム２１の本体ケーシング２に対する引き出しを確実に規制できる。
（４）また、ＬＥＤユニット１７の第１フレーム１７０は、図２および図３に示すように、その後端部（ＬＥＤ被支持部１７６）が、本体ケーシング２に相対移動可能に支持され、前端部（ＬＥＤ係合部１７５）が、フロントカバー６が開放位置に配置された状態において、現像ユニット１６に支持される。
【０３８４】
そのため、簡易な構成でありながら、ＬＥＤユニット１７の第１フレーム１７０を、露光位置と退避位置とに円滑に移動させることができる。また、フロントカバー６が開放位置に配置された状態において、第１フレーム１７０が、現像ユニット１６に支持されるので、第１フレーム１７０を確実に退避位置に配置することができる。
（５）また、ＬＥＤユニット１７は、互いに隣り合う現像ユニット１６の間において、上側（感光ドラム２１に近い側）に設けられている。そして、互いに隣り合う現像ユニット１６の下側部分間（感光ドラム２１から遠い側）における左右方向間隔は、ＬＥＤユニット１７の左右方向長さよりも短く形成されている。
【０３８５】
そのため、ＬＥＤユニット１７のさらなる効率的な配置を確保できながら、カラープリンタ１の小型化、とりわけ、左右方向における小型化を図ることができる。
１０．第２実施形態
次に、本発明の第２実施形態について説明する。
【０３８６】
図１７は、本発明の画像形成装置の第２実施形態としてのカラープリンタ（フロントカバーが開放位置に配置された状態）の前面図である。
【０３８７】
図１７において、図１〜図１６に示す各部に対応する部分には、それらの各部と同一の参照符号を付し、その説明を省略する。
【０３８８】
第１実施形態では、図５に示すように、３つのＬＥＤユニット１７ＫＹＭにおけるＬＥＤ支持部材１６７の第１フレーム１７０は、退避位置に配置された状態において、イエロー感光ドラム２１Ｙ、マゼンタ感光ドラム２１Ｍおよびシアン感光ドラム２１Ｃのそれぞれに対応する現像ユニット１６、すなわち、上記した第２現像ユニットに対応する現像ユニット１６のユニット前壁１４０に支持される。
【０３８９】
これに対して、第２実施形態では、図１７に示すように、３つのＬＥＤユニット１７ＫＹＭにおけるＬＥＤ支持部材１６７の第１フレーム１７０は、退避位置に配置された状態において、ブラック感光ドラム２１Ｋ、イエロー感光ドラム２１Ｙおよびマゼンタ感光ドラム２１Ｍのそれぞれに対応する現像ユニット１６、すなわち、上記した第１現像ユニットに対応する現像ユニット１６のユニット前壁１４０に支持される。
【０３９０】
詳しくは、ブラック現像ユニット１６Ｋ、イエロー現像ユニット１６Ｙおよびマゼンタ現像ユニット１６Ｍのそれぞれにおけるユニット前壁１４０には、フレーム支持部１９３が設けられている。
【０３９１】
フレーム支持部１９３は、ユニット前壁１４０の右端部における上側部分から右方に向かって突出する側面視略三角形状に形成されている。
【０３９２】
また、イエロー現像ユニット１６Ｙ、マゼンタ現像ユニット１６Ｍおよびシアン現像ユニット１６Ｃのそれぞれにおけるユニット前壁１４０には、フレーム支持部１９３に対応して切欠部１９４が形成されている。
【０３９３】
切欠部１９４は、ユニット前壁１４０の左端部における上下方向略中央部分から上方に向かうに従って右方に傾斜するように切り欠かれて形成されている。
【０３９４】
そして、３つのＬＥＤユニット１７ＫＹＭにおける第１フレーム１７０のそれぞれは、退避位置に配置された状態において、その下面における前端部が対応するフレーム支持部１９３の上端縁に当接され、フレーム支持部１９３に下側から支持されている。
【０３９５】
つまり、３つのＬＥＤユニット１７ＫＹＭのそれぞれは、フロントカバー６が開放位置に配置される状態において、３つのＬＥＤユニット１７ＫＹＭのそれぞれが退避位置に配置されるように、第１現像ユニットに対応する現像ユニット１６（ブラック感光ドラム２１Ｋ、イエロー感光ドラム２１Ｙおよびマゼンタ感光ドラム２１Ｍ）のユニット前壁１４０に支持される。
【０３９６】
これによっても、上記した第１実施形態と同様の作用効果を奏することができる。
【０３９７】
また、上記した第１実施形態は、複数（４つ）の現像ユニット１６を備えるカラープリンタとして構成されたが、第２実施形態では、１つの現像ユニット１６のみを備えるモノクロプリンターとして構成することもできる。
１１．第３実施形態
次に、本発明の第３実施形態について説明する。
【０３９８】
図１８は、本発明の画像形成装置の第３実施形態としてのカラープリンタの側断面図である。
【０３９９】
図１８において、図１〜図１６に示す各部に対応する部分には、それらの各部と同一の参照符号を付し、その説明を省略する。
【０４００】
第１実施形態では、図９に示すように、ドラムユニット１５の被位置決め部１３７が、内側ケーシング６１に設けられる位置決め軸１１５に係合され、ドラムユニット１５が内側ケーシング６１に位置決めされる。
【０４０１】
これに対して、第３実施形態では、図１８に示すように、感光ドラム２１の前後両端部が、本体ケーシング２に係合されて、ドラムユニット１５が本体ケーシング２に位置決めされる。
【０４０２】
詳しくは、感光ドラム２１の前後両端部には、嵌合部１９５が一体的に設けられている。
【０４０３】
嵌合部１９５は、感光ドラム２１の前後方向端面における上下方向略中央部分から前後方向外方に向かって突出する側面視略矩形状に形成されている。
【０４０４】
また、第１対向部７８には、第３係合部の一例としての前側嵌合溝１９６が形成されている。
【０４０５】
前側嵌合溝１９６は、前側の嵌合部１９５に対応して形成され、第１対向部７８の後面における上下方向略中央部分から前方に向かって窪む側面視略コ字状に形成されている。
【０４０６】
また、第２対向部１０６には、第２係合部の一例としての後側嵌合溝１９７が形成されている。
【０４０７】
後側嵌合溝１９７は、後側の嵌合部１９５に対応して形成され、第２対向部１０６の前面における上下方向略中央部分から後方に向かって窪む側面視略コ字状に形成されている。
【０４０８】
そして、ドラムユニット１５は、ドラムドロワ１３４がドラム装着位置に配置され、フロントカバー６が閉鎖位置に配置された状態において、前側の嵌合部１９５（感光ドラム２１の軸線方向他端部）が前側嵌合溝１９６に嵌合（係合）されるとともに、後側の嵌合部１９５（感光ドラム２１の軸線方向一端部）が後側嵌合溝１９７に嵌合（係合）される。
【０４０９】
これにより、ドラムユニット１５が、本体ケーシング２に対して精度よく位置決めされ、ドラムユニット１５に支持される感光ドラム２１が、本体ケーシング２に対して位置決めされる。
【０４１０】
そのため、このような第３実施形態においても、上記した第１実施形態と同様の作用効果を奏することができる。
【０４１１】
また、第３実施形態では、上記した第１実施形態のように、ドラムユニット１５を位置決めするための位置決め軸１１５および押圧ユニット１１６（図９参照）を設ける必要がない。そのため、部品点数の低減を図ることができる。
１３．第４実施形態および第５実施形態
次に、本発明の第４実施形態および第５実施形態について説明する。
【０４１２】
図１９は、本発明の画像形成装置の第４実施形態としてのカラープリンタの側断面図である。
【０４１３】
図２０は、本発明の画像形成装置の第５実施形態としてのカラープリンタの側断面図である。
【０４１４】
図１９および図２０において、図１〜図１６に示す各部に対応する部分には、それらの各部と同一の参照符号を付し、その説明を省略する。
【０４１５】
第１実施形態では、図２および図３に示すように、フロントカバー６が引出規制手段の一例として設けられるが、第４実施形態および第５実施形態では、別途、引出規制手段が設けられる。
【０４１６】
詳しくは、第４実施形態では、図１９に示すように、ＬＥＤユニット１７が、引出規制手段の一例としてのＬＥＤ規制部２００を備え、第５実施形態では、図２０に示すように、現像ユニット１６が、引出規制手段の一例としての現像規制部２０５を備えている。
（１）第４実施形態
ＬＥＤ規制部２００は、図１９に示すように、ＬＥＤ支持部材１６７の第１フレーム１７０のＬＥＤ係合部１７５に設けられ、詳しくは後述するが、その下端部を支点として、回動可能に設けられている。
【０４１７】
ＬＥＤ規制部２００は、規制部２０１と、係止部２０２とを備えている。
【０４１８】
なお、以下のＬＥＤ規制部２００の説明において、ＬＥＤ規制部２００が引出規制位置に配置された状態（後述、図１９における実線参照）を基準としている。
【０４１９】
規制部２０１は、上下方向に延びる略平板形状に形成されている。
【０４２０】
係止部２０２は、規制部２０１の後面における上端部から後方に向かって突出する側面視略矩形状に形成されている。係止部２０２の後端部は、後方に向かうに従って上方に傾斜するように切り欠かれて形成されている。
【０４２１】
また、前壁８１には、係止部２０２に対応して、係止穴２０３が形成されている。係止穴２０３は、ドラム開口部８４の上側において前後方向に貫通形成されている。
【０４２２】
そして、ＬＥＤ規制部２００は、係止部２０２が係止穴２０３に嵌合され、規制部２０１が上下方向に沿うように配置される引出規制位置と、係止部２０２と係止穴２０３との嵌合が解除され、規制部２０１が前後方向に沿うように配置される引出許容位置とに移動可能である。
【０４２３】
ＬＥＤ規制部２００が引出規制位置に配置された状態において、規制部２０１は、前後方向に投影したときにドラムユニット１５と重なるように、感光ドラム２１の前端部に対して前側であって、フロントカバー６と感光ドラム２１との間に配置されている。
【０４２４】
このとき、ＬＥＤユニット１７の第１フレーム１７０は、係止部２０２が係止穴２０３に嵌合されることにより、ＬＥＤ規制部２００に支持されて、露光位置に配置される。
【０４２５】
これによって、所望しないドラムユニット１５（感光ドラム２１）の本体ケーシング２に対する引き出しを確実に規制できる。
【０４２６】
また、ＬＥＤ規制部２００が引出許容位置に配置された状態において、図１９における二点鎖線で示すように、規制部２０１は、前後方向に投影したときのドラムユニット１５の投影面から退避するように配置され、ＬＥＤユニット１７の第１フレーム１７０は、係止部２０２と係止穴２０３との嵌合が解除されることにより、退避位置に配置されている。
【０４２７】
そのため、ドラムユニット１５を本体ケーシング２から引き出すことができる。
（２）第５実施形態
現像規制部２０５は、現像ユニット１６のユニットフレーム２５のユニット前壁１４０に設けられ、詳しくは後述するが、その下端部を支点として、回動可能に設けられている。
【０４２８】
なお、以下の現像規制部２０５の説明において、現像規制部２０５が引出規制位置に配置された状態（後述、図２０における実線参照）を基準としている。
【０４２９】
現像規制部２０５は、側面視略Ｌ字状に形成され、その下側部分の上面には、支持突部２０６が設けられている。
【０４３０】
支持突部２０６は、現像規制部２０５の下側部分における上面から上方に向かって突出するように形成されている。
【０４３１】
そして、現像規制部２０５は、前上方に向かって延びた後、上方に向かって延びるように配置される引出規制位置と、前下方に向かって延びた後、前方に向かって延びるように配置される引出許容位置とに移動可能である。
【０４３２】
現像規制部２０５が引出規制位置に配置された状態において、その上端部は、前後方向に投影したときにドラムユニット１５のドラム側壁１３５の下端部と重なるように、ドラム側壁１３５の下端部に対して前側に配置されている。
【０４３３】
このとき、ＬＥＤユニット１７の第１フレーム１７０は、その下面における前端部が、支持突部２０６に当接されることにより、上方に向かって押圧され、露光位置に配置される。
【０４３４】
これによって、所望しないドラムユニット１５（感光ドラム２１）の本体ケーシング２に対する引き出しを確実に規制できる。
【０４３５】
また、現像規制部２０５が引出許容位置に配置された状態において、図２０における二点鎖線で示すように、現像規制部２０５は、前後方向に投影したときのドラムユニット１５の投影面から退避するように配置され、ＬＥＤユニット１７の第１フレーム１７０は、退避位置に配置される。
【０４３６】
そのため、ドラムユニット１５を本体ケーシング２から引き出すことができる。
【０４３７】
従って、このような第４実施形態および第５実施形態においても、上記した第１実施形態と同様の作用効果を奏することができる。
【０４３８】
また、ＬＥＤ規制部２００がＬＥＤユニット１７に設けられ、現像規制部２０５が現像ユニット１６に設けられているので、ＬＥＤ規制部２００および現像規制部２０５のそれぞれの効率的な配置を確保することができる。
１４．第６実施形態および第７実施形態
次に、本発明の第６実施形態および第７実施形態について説明する。
【０４３９】
図２１（ａ）は、本発明の画像形成装置の第６実施形態における案内部材およびカバー側係合部の拡大図であって、（ａ−１）は、案内部材が案内位置に配置された状態を示し、（ａ−２）は、案内部材が非案内位置に配置された状態を示す。図２１（ｂ）は、本発明の画像形成装置の第７実施形態における案内部材およびカバー側係合部の拡大図であって、（ｂ−１）は、案内部材が案内位置に配置された状態を示し、（ｂ−２）は、案内部材が非案内位置に配置された状態を示す。
【０４４０】
図２１（ａ）および図２１（ｂ）において、図７に示す各部に対応する部分には、それらの各部と同一の参照符号を付し、その説明を省略する。
（１）第６実施形態
第１実施形態では、図７に示すように、ＬＥＤ係合部１７５にのみ、案内部材１７８が設けられているが、第６実施形態では、図２１（ａ）に示すように、ＬＥＤ係合部１７５に加えて、カバー側係合部７９にも、案内部材が設けられている。
【０４４１】
詳しくは、第６実施形態では、図２１（ａ）に示すように、カバー側係合部７９に、案内部材の一例としてのカバー側案内部２０７が設けられている。
【０４４２】
カバー側案内部２０７は、カバー側係合部７９の下端部における後端部から後方に向かって突出する側面視略三角形状に形成されている。
【０４４３】
そして、カバー側案内部２０７は、フロントカバー６が開放位置から閉鎖位置に移動するときに、ＬＥＤ係合部１７５とカバー側係合部７９の係合溝８０とが係合するように、ＬＥＤ係合部１７５の移動を案内する。
【０４４４】
また、カバー側案内部２０７は、フロントカバー６が開放位置から閉鎖位置に移動するときに、ＬＥＤ係合部１７５の移動を案内するように、後方（ＬＥＤ係合部１７５側）に向かって進出する案内位置（図２１（ａ−１）参照）と、案内位置よりも、前側（フロントカバー６側）に向かって退避する非案内位置（図２１（ａ−２）参照）とに移動可能に構成されていてもよい。
【０４４５】
この場合、カバー側案内部２０７は、例えば、第１実施形態の案内部材１７８と同様に構成され（図７（ｃ）参照）、ＬＥＤ係合部１７５には、ＬＥＤ係合部１７５が係合溝８０に嵌合された状態において、カバー側案内部２０７の後端部と当接し、カバー側案内部２０７を非案内位置に配置するための案内当接部２１１が設けられている。
【０４４６】
案内当接部２１１は、ＬＥＤ係合部１７５の下端部から下方に向かって突出する側面視略矩形状に形成されている。
【０４４７】
そのため、このような第６実施形態においても、上記した第１実施形態と同様の作用効果を奏することができる。
【０４４８】
また、ＬＥＤ係合部１７５に案内部材１７８が設けられるとともに、カバー側係合部７９にカバー側案内部２０７が設けられるので、ＬＥＤ係合部１７５と係合溝８０とを確実に係合させることができる。
（２）第７実施形態
第７実施形態における案内部材１７８は、図２１（ｂ）に示すように、案内板２０８と、板ばね部材２０９とを備えている。
【０４４９】
案内板２０８は、ＬＥＤ係合部１７５の前端部に設けられ、略平板形状に形成されている。そして、案内板２０８は、その後端部を支点として、前上方（フロントカバー６側）に向かって延びるように配置される案内位置（図２１（ｂ−１）参照）と、上方に向かって延びるように配置される被案内位置（図２１（ｂ−２）参照）とに回動可能に設けられている。つまり、案内板２０８は、被案内位置に配置された状態において、案内位置よりも後側（ＬＥＤ係合部１７５側）に退避されている。
【０４５０】
板ばね部材２０９は、図２１（ｂ−２）に示すように、側面視略Ｌ字状に形成され、案内板２０８の上側に配置されている。
【０４５１】
これにより、案内板２０８は、常には、被案内位置（図２１（ｂ−２）参照）から案内位置（図２１（ｂ−１）参照）に向かって付勢され、案内位置（図２１（ｂ−１）参照）に配置されている。
【０４５２】
また、係合溝８０には、凹部２１０が形成されている。
【０４５３】
凹部２１０は、係合溝８０の上端縁における前側部分から上方に向かって窪む側面視略コ字状に形成されている。
【０４５４】
そして、案内部材１７８は、図２１（ｂ−２）に示すように、ＬＥＤ係合部１７５が係合溝８０に嵌合された状態において、係合溝８０内において、非案内位置に配置される。
【０４５５】
このとき、案内板２０８の上端部は、凹部２１０内に配置される。
【０４５６】
このような第７実施形態においても、上記した第１実施形態と同様の作用効果を奏することができる。
１５．変形例
上記した第１実施形態〜第７実施形態では、図１３（ｂ）に示すように、現像ローラ２６が近接位置に配置された状態において、現像ローラ２６と対応する感光ドラム２１とが接触している。
【０４５７】
これに対して、現像ローラ２６が近接位置に配置された状態において、現像ローラ２６と対応する感光ドラム２１との間に、トナーが飛翔可能な僅かな間隙を形成するように構成することもできる。
【０４５８】
なお、上記した第１実施形態〜第７実施形態および変形例は、適宜組み合わせることができる。
【符号の説明】
【０４５９】
１      カラープリンタ
２      本体ケーシング
６      フロントカバー
８      第１開口部
１６    現像ユニット
１７    ＬＥＤユニット
２１    感光ドラム
２６    現像ローラ
１３４  ドラムドロワ
２００  ＬＥＤ規制部
２０５  現像規制部
【図１】
0006028353.tif 000002
【図２】
0006028353.tif 000003
【図３】
0006028353.tif 000004
【図４】
0006028353.tif 000005
【図５】
0006028353.tif 000006
【図６】
0006028353.tif 000007
【図７】
0006028353.tif 000008
【図８】
0006028353.tif 000009
【図９】
0006028353.tif 000010
【図１０】
0006028353.tif 000011
【図１１】
0006028353.tif 000012
【図１２】
0006028353.tif 000013
【図１３】
0006028353.tif 000014
【図１４】
0006028353.tif 000015
【図１５】
0006028353.tif 000016
【図１６】
0006028353.tif 000017
【図１７】
0006028353.tif 000018
【図１８】
0006028353.tif 000019
【図１９】
0006028353.tif 000020
【図２０】
0006028353.tif 000021
【図２１】
0006028353.tif 000022